(57)【要約】状況に応じて動作する照明設備（１）であって、台座（１０）、光源（２０）、ランプ・シェード（３０）、および制御センサ（４０）を備えている。光源（２０）は、光源台座（２１）に取り付けられた差し込み式の蛍光ランプ素子（２２）を含んでいる。制御センサ（４０）は、可視光検出用光電セル（４０Ａ）であってよく、あるいは運動センサであってよい。制御手段（５０）が、制御センサ（４０）によって検出した状況に応じて光源（２０）をオンオフする。この状況応答式の照明設備（１）は、標準的な建築用配線接続箱に収容され、すでに存在するが使用されていない壁コンセントまたはスイッチ・パネルを置き替えて、夜間照明や通路の案内などの追加の機能をもたらすことができるよう、とくに設計されている。
2005538507.tif 000002
【特許請求の範囲】
【請求項１】
金属製の壁で囲まれた凹んだ空洞をもたらすべく或る表面に据え付けされ、該凹んだ空洞内まで電源からの電気配線が引き込まれている建築用配線接続箱のための感応式照明設備であって、
・前面プレートおよび該前面プレートから後方に向かって延びた凹状のケースからなり、該凹状のケースが、該凹状のケースに凹み付けられた光源ソケットおよび前記前面プレートに開けられた光源開口を有しており、該凹状のケースが、前記建築用配線接続箱の凹んだ空洞内へと配置されるような寸法とされる一方で、前記前面プレートが、前記建築用配線接続箱の凹んだ空洞を覆うような寸法とされている台座
・前記光源ソケット内に配置された光源、
・前記台座の前面プレートに着脱可能に取り付けられ、前記光源開口を覆うような寸法とされているランプ・シェード、
・前記台座の前面プレートに設けられ、外部へと露出している制御センサ、および
・前記光源を前記建築用配線接続箱へと引き込まれた前記電気配線へと電気的に接続し、さらに前記制御センサを前記光源へと、該制御センサがオフ条件を検出したときに該制御センサが前記光源をオフにし、該制御センサがオン条件を検出したときに該制御センサが前記光源をオンにするように電気的に接続するための制御手段
からなる感応式照明設備。
【請求項２】
前記光源が、差し込み式の蛍光ランプである請求項１に記載の感応式照明設備。
【請求項３】
前記差し込み式の蛍光ランプが、差し込み式の蛍光ランプ台座および該蛍光ランプ台座に取り付けられた蛍光ランプ素子からなり、
該蛍光ランプ台座が、前面に開口を有する台座ハウジング、該台座ハウジングの両端から後方に向かって延びる２つの端子アーム、および該台座ハウジングの両端にヒンジ接続された２つの端部ホルダからなり、
前記蛍光ランプ素子が、筒状の蛍光ランプ電球および該蛍光ランプ電球の両端から前記２つの端子アームへと延びて２組の電気端子コンタクトを形成する２組の端子ワイヤからなる
請求項２に記載の感応式照明設備。
【請求項４】
前記２つの端子アームのそれぞれが、１対の貫通孔を有しており、
前記蛍光ランプ素子が、前記蛍光ランプ素子に着座して該蛍光ランプ素子に沿って延びるよう構成され、
前記２組の端子ワイヤが、前記２対の貫通孔を通って後方へと、該端子ワイヤの４つの終端部がそれぞれ前記端子アームから後方に突き出して、それぞれ該２つの端子アームの２つの内側コンタクト面に向かって内側に曲げられ、前記２組の電気端子コンタクトを構成するまで延びている
請求項３に記載の感応式照明設備。
【請求項５】
前記光源ソケットが、前記光源を該光源ソケット内に取り付けて前記反射面の前方に位置させるため、前記２つの端子アームがそれぞれ挿入されるように構成された２つの端子溝を互いに離間させて提供している
請求項３に記載の感応式照明設備。
【請求項６】
前記光源ソケットが、前記光源を該光源ソケット内に取り付けて前記反射面の前方に位置させるため、前記２つの端子アームがそれぞれ挿入されるように構成された２つの端子溝を互いに離間させて提供している
請求項４に記載の感応式照明設備。
【請求項７】
前記制御手段が、前記凹状のケースを通って延びる２組のソケット端子と、回路ユニットとを含んでおり、
該ソケット端子のそれぞれが、ソケット端子を構成すべく対応する前記端子溝内へと延びる前部弾性部分、および前記凹状のケースの前記回路ユニットが収容される後方室へと延びる後端を有しており、
該２組のソケット端子が、前記光源の前記２つの端子アームが前記２つの端子溝へとそれぞれ差し込まれたとき、前記回路ユニットと前記光源の前記蛍光ランプ素子との間に電気を導くべく、該２組のソケット端子が前記２組の端子コンタクトへと押し付けられるように構成されている。
請求項５に記載の感応式照明設備。
【請求項８】
前記制御手段が、前記凹状のケースを通って延びる２組のソケット端子と、回路ユニットとを含んでおり、
該ソケット端子のそれぞれが、ソケット端子を構成すべく対応する前記端子溝内へと延びる前部弾性部分、および前記凹状のケースの前記回路ユニットが収容される後方室へと延びる後端を有しており、
該２組のソケット端子が、前記光源の前記２つの端子アームが前記２つの端子溝へとそれぞれ差し込まれたとき、前記回路ユニットと前記光源の前記蛍光ランプ素子との間に電気を導くべく、該２組のソケット端子が前記２組の端子コンタクトへと押し付けられるように構成されている。
請求項６に記載の感応式照明設備。
【請求項９】
前記凹んだ空洞が、弧状の光反射面を有している請求項１に記載の感応式照明設備。
【請求項１０】
前記回路ユニットが、主として、前記制御センサがオフ条件を検出したときに前記制御センサが前記光源をオフにし、前記制御センサがオン条件を検出したときに前記制御センサが前記光源をオンにするよう、前記制御センサを前記光源と相互作用させる請求項１に記載の感応式照明設備。
【請求項１１】
前記回路ユニットが、主として、前記制御センサがオフ条件を検出したときに前記制御センサが前記光源の前記蛍光ランプ素子をオフにし、前記制御センサがオン条件を検出したときに前記制御センサが前記光源の前記蛍光ランプ素子をオンにするよう、前記制御センサを前記光源と相互作用させる請求項７に記載の感応式照明設備。
【請求項１２】
前記回路ユニットが、主として、前記制御センサがオフ条件を検出したときに前記制御センサが前記光源の前記蛍光ランプ素子をオフにし、前記制御センサがオン条件を検出したときに前記制御センサが前記光源の前記蛍光ランプ素子をオンにするよう、前記制御センサを前記光源と相互作用させる請求項８に記載の感応式照明設備。
【請求項１３】
前記制御センサが、前記回路ユニットに電気的に接続された可視光検出器であって、該可視光検出器が環境光を検出したとき、すなわち前記オフ条件のとき前記光源をオフにし、該可視光検出器が環境光を検出しないとき、すなわち前記オン条件のとき前記光源をオンにするよう構成されている
請求項１０に記載の感応式照明設備。
【請求項１４】
前記制御センサが、前記回路ユニットに電気的に接続された可視光検出器であって、該可視光検出器が環境光を検出したとき、すなわち前記オフ条件のとき前記光源をオフにし、該可視光検出器が環境光を検出しないとき、すなわち前記オン条件のとき前記光源をオンにするよう構成されている
請求項１１に記載の感応式照明設備。
【請求項１５】
前記制御センサが、前記回路ユニットに電気的に接続された可視光検出器であって、該可視光検出器が環境光を検出したとき、すなわち前記オフ条件のとき前記光源をオフにし、該可視光検出器が環境光を検出しないとき、すなわち前記オン条件のとき前記光源をオンにするよう構成されている
請求項１２に記載の感応式照明設備。
【請求項１６】
前記可視光検出器が、可視光検出用光電セルである請求項１５に記載の感応式照明設備。
【請求項１７】
前記制御センサが、生の運動が検出されないとき、すなわち前記オフ条件のとき前記光源をオフにし、生の運動が検出されたとき、すなわち前記オン条件のとき前記光源をオンにするよう構成されている運動センサである請求項１０に記載の感応式照明設備。
【請求項１８】
前記制御センサが、生の運動が検出されないとき、すなわち前記オフ条件のとき前記光源をオフにし、生の運動が検出されたとき、すなわち前記オン条件のとき前記光源をオンにするよう構成されている運動センサである請求項１１に記載の感応式照明設備。
【請求項１９】
前記制御センサが、生の運動が検出されないとき、すなわち前記オフ条件のとき前記光源をオフにし、生の運動が検出されたとき、すなわち前記オン条件のとき前記光源をオンにするよう構成されている運動センサである請求項１２に記載の感応式照明設備。
【請求項２０】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１０に記載の感応式照明設備。
【請求項２１】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１１に記載の感応式照明設備。
【請求項２２】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１２に記載の感応式照明設備。
【請求項２３】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１３に記載の感応式照明設備。
【請求項２４】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１４に記載の感応式照明設備。
【請求項２５】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１５に記載の感応式照明設備。
【請求項２６】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１７に記載の感応式照明設備。
【請求項２７】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１８に記載の感応式照明設備。
【請求項２８】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１９に記載の感応式照明設備。
【請求項２９】
前記前面プレートが、前記凹んだ空洞を完全に覆うとともに、両側部に設けられ前記建築用配線接続箱の前記４つの角のねじ座と整列する複数の取り付け穴を有しており、該取り付け穴および前記ねじ座によって該前面プレートを前記建築用配線接続箱に締め付けることによって、前記台座が所定の位置に固定される請求項２５に記載の感応式照明設備。
【請求項３０】
前記前面プレートが、前記凹んだ空洞を完全に覆うとともに、両側部に設けられ前記建築用配線接続箱の前記４つの角のねじ座と整列する複数の取り付け穴を有しており、該取り付け穴および前記ねじ座によって該前面プレートを前記建築用配線接続箱に締め付けることによって、前記台座が所定の位置に固定される請求項２８に記載の感応式照明設備。
【請求項３１】
保護カバーをさらに有しており、
該保護カバーが、一体かつ背面から後方に向かって突き出した複数の係合ラッチを備え、対応して前記前面プレートが複数の係合溝を有し、
該保護カバーが、前記係合ラッチを前記係合溝に差し込むことによって前記前面プレートに取り付けられ、さらに
該保護カバーが、前記制御センサを外部へと露出させることができるようにするため前記制御センサと整列したセンサ・レンズ、および前記光源を外部と連通できるようにするための窓を有している
請求項２９に記載の感応式照明設備。
【請求項３２】
保護カバーをさらに有しており、
該保護カバーが、一体かつ背面から後方に向かって突き出した複数の係合ラッチを備え、対応して前記前面プレートが複数の係合溝を有し、
該保護カバーが、前記係合ラッチを前記係合溝に差し込むことによって前記前面プレートに取り付けられ、さらに
該保護カバーが、前記制御センサを外部へと露出させることができるようにするため前記制御センサと整列したセンサ・レンズ、および前記光源を外部と連通できるようにするための窓を有している
請求項３０に記載の感応式照明設備。
【請求項３３】
少なくとも１つのヒンジ溝が、前記光源開口の上縁に間隔をあけて形成され、
前記ランプ・シェードが、光線を通過させるためのカバー・レンズ、および該ランプ・シェードの上側から後方に向かって延びた少なくとも１つのヒンジ・アームを備えており、
該ヒンジ・アームが弧状の形状を有し、
前記ランプ・シェードが、該ヒンジ・アームを前記ヒンジ溝に通して、該ヒンジ・アームが前記前面プレートの後方に位置して通常時前記ランプ・シェードを重力によってぶら下げるまで挿入することによって、前記台座の前記前面プレートへと着脱可能に取り付けられる
請求項１に記載の感応式照明設備。
【請求項３４】
前記ヒンジ・アームが前記ヒンジ溝からそのまま振り抜けてしまうことがないよう、前記ランプ・シェードが、前記ヒンジ・アームの自由端部から後方および上方に突き出した抜け止めリブを備えている請求項３３に記載の感応式照明設備。
【請求項３５】
係止溝が、前記光源開口の下縁に形成されるとともに、係止ラッチが、前記ランプ・シェードの下側から後方に向かって突き出しており、
該係止ラッチを前記係止溝内に係合させることによって、前記ランプ・シェードを所定の位置に係止することができ、
前記凹んだ空洞を開放するため、前記係止ラッチを前記係止溝との係合から外した後に、前記ランプ・シェードを前記ヒンジ・アームを中心として、前記抜け止めリブが前記凹状のケースの上部壁に当接して妨げとなるまで跳ね上げることができ、ゆえに前記ヒンジ・アームが前記ヒンジ溝によって前記ランプ・シェードを振り上げおよび振り下ろしできるようにしている
請求項３４に記載の感応式照明設備。
【請求項３６】
少なくとも１つのヒンジ溝が、前記光源開口の上縁に間隔をあけて形成され、
前記ランプ・シェードが、光線を通過させるためのカバー・レンズ、および該ランプ・シェードの上側から後方に向かって延びた少なくとも１つのヒンジ・アームを備えており、
該ヒンジ・アームが、弧状の形状を有するとともに、該ヒンジ・アームの自由端部から後方および上方に突き出した抜け止めリブを備えており、
前記ランプ・シェードが、該ヒンジ・アームを前記ヒンジ溝に通して、該ヒンジ・アームが前記前面プレートの後方に位置して通常時前記ランプ・シェードを重力によってぶら下げるまで挿入することによって、前記台座の前記前面プレートへと着脱可能に取り付けられる
請求項８に記載の感応式照明設備。
【請求項３７】
係止溝が、前記光源開口の下縁に形成されるとともに、係止ラッチが、前記ランプ・シェードの下側から後方に向かって突き出しており、
該係止ラッチを前記係止溝内に係合させることによって、前記ランプ・シェードを所定の位置に係止することができ、
前記凹んだ空洞を開放するため、前記係止ラッチを前記係止溝との係合から外した後に、前記ランプ・シェードを前記ヒンジ・アームを中心として、前記抜け止めリブが前記凹状のケースの上部壁に当接して妨げとなるまで跳ね上げることができ、ゆえに前記ヒンジ・アームが前記ヒンジ溝によって前記ランプ・シェードを振り上げおよび振り下ろしできるようにしており、前記抜け止めリブが前記ヒンジ・アームが前記ヒンジ溝からそのまま振り抜けてしまうことがないようにしている
請求項３６に記載の感応式照明設備。
【請求項３８】
少なくとも１つのヒンジ溝が、前記光源開口の上縁に間隔をあけて形成され、
前記ランプ・シェードが、光線を通過させるためのカバー・レンズ、および該ランプ・シェードの上側から後方に向かって延びた少なくとも１つのヒンジ・アームを備えており、
該ヒンジ・アームが弧状の形状を有し、
前記ランプ・シェードが、該ヒンジ・アームを前記ヒンジ溝に通して、該ヒンジ・アームが前記前面プレートの後方に位置して通常時前記ランプ・シェードを重力によってぶら下げるまで挿入することによって、前記台座の前記前面プレートへと着脱可能に取り付けられる
請求項１０に記載の感応式照明設備。
【請求項３９】
前記ヒンジ・アームが前記ヒンジ溝からそのまま振り抜けてしまうことがないよう、前記ランプ・シェードが、前記ヒンジ・アームの自由端部から後方および上方に突き出した抜け止めリブを備えている請求項３８に記載の感応式照明設備。
【請求項４０】
係止溝が、前記光源開口の下縁に形成されるとともに、係止ラッチが、前記ランプ・シェードの下側から後方に向かって突き出しており、
該係止ラッチを前記係止溝内に係合させることによって、前記ランプ・シェードを所定の位置に係止することができ、
前記凹んだ空洞を開放するため、前記係止ラッチを前記係止溝との係合から外した後に、前記ランプ・シェードを前記ヒンジ・アームを中心として、前記抜け止めリブが前記凹状のケースの上部壁に当接して妨げとなるまで跳ね上げることができ、ゆえに前記ヒンジ・アームが前記ヒンジ溝によって前記ランプ・シェードを振り上げおよび振り下ろしできるようにしている
請求項３９に記載の感応式照明設備。
【請求項４１】
少なくとも１つのヒンジ溝が、前記光源開口の上縁に間隔をあけて形成され、
前記ランプ・シェードが、光線を通過させるためのカバー・レンズ、および該ランプ・シェードの上側から後方に向かって延びた少なくとも１つのヒンジ・アームを備えており、
該ヒンジ・アームが、弧状の形状を有するとともに、該ヒンジ・アームの自由端部から後方および上方に突き出した抜け止めリブを備えており、
前記ランプ・シェードが、該ヒンジ・アームを前記ヒンジ溝に通して、該ヒンジ・アームが前記前面プレートの後方に位置して通常時前記ランプ・シェードを重力によってぶら下げるまで挿入することによって、前記台座の前記前面プレートへと着脱可能に取り付けられる
請求項１５に記載の感応式照明設備。
【請求項４２】
係止溝が、前記光源開口の下縁に形成されるとともに、係止ラッチが、前記ランプ・シェードの下側から後方に向かって突き出しており、
該係止ラッチを前記係止溝内に係合させることによって、前記ランプ・シェードを所定の位置に係止することができ、
前記凹んだ空洞を開放するため、前記係止ラッチを前記係止溝との係合から外した後に、前記ランプ・シェードを前記ヒンジ・アームを中心として、前記抜け止めリブが前記凹状のケースの上部壁に当接して妨げとなるまで跳ね上げることができ、ゆえに前記ヒンジ・アームが前記ヒンジ溝によって前記ランプ・シェードを振り上げおよび振り下ろしできるようにしており、前記抜け止めリブが前記ヒンジ・アームが前記ヒンジ溝からそのまま振り抜けてしまうことがないようにしている
請求項４１に記載の感応式照明設備。
【請求項４３】
少なくとも１つのヒンジ溝が、前記光源開口の上縁に間隔をあけて形成され、
前記ランプ・シェードが、光線を通過させるためのカバー・レンズ、および該ランプ・シェードの上側から後方に向かって延びた少なくとも１つのヒンジ・アームを備えており、
該ヒンジ・アームが、弧状の形状を有するとともに、該ヒンジ・アームの自由端部から後方および上方に突き出した抜け止めリブを備えており、
前記ランプ・シェードが、該ヒンジ・アームを前記ヒンジ溝に通して、該ヒンジ・アームが前記前面プレートの後方に位置して通常時前記ランプ・シェードを重力によってぶら下げるまで挿入することによって、前記台座の前記前面プレートへと着脱可能に取り付けられる
請求項２５に記載の感応式照明設備。
【請求項４４】
係止溝が、前記光源開口の下縁に形成されるとともに、係止ラッチが、前記ランプ・シェードの下側から後方に向かって突き出しており、
該係止ラッチを前記係止溝内に係合させることによって、前記ランプ・シェードを所定の位置に係止することができ、
前記凹んだ空洞を開放するため、前記係止ラッチを前記係止溝との係合から外した後に、前記ランプ・シェードを前記ヒンジ・アームを中心として、前記抜け止めリブが前記凹状のケースの上部壁に当接して妨げとなるまで跳ね上げることができ、ゆえに前記ヒンジ・アームが前記ヒンジ溝によって前記ランプ・シェードを振り上げおよび振り下ろしできるようにしており、前記抜け止めリブが前記ヒンジ・アームが前記ヒンジ溝からそのまま振り抜けてしまうことがないようにしている
請求項４３に記載の感応式照明設備。
【請求項４５】
少なくとも１つのヒンジ溝が、前記光源開口の上縁に間隔をあけて形成され、
前記ランプ・シェードが、光線を通過させるためのカバー・レンズ、および該ランプ・シェードの上側から後方に向かって延びた少なくとも１つのヒンジ・アームを備えており、
該ヒンジ・アームが、弧状の形状を有するとともに、該ヒンジ・アームの自由端部から後方および上方に突き出した抜け止めリブを備えており、
前記ランプ・シェードが、該ヒンジ・アームを前記ヒンジ溝に通して、該ヒンジ・アームが前記前面プレートの後方に位置して通常時前記ランプ・シェードを重力によってぶら下げるまで挿入することによって、前記台座の前記前面プレートへと着脱可能に取り付けられる
請求項３１に記載の感応式照明設備。
【請求項４６】
係止溝が、前記光源開口の下縁に形成されるとともに、係止ラッチが、前記ランプ・シェードの下側から後方に向かって突き出しており、
該係止ラッチを前記係止溝内に係合させることによって、前記ランプ・シェードを所定の位置に係止することができ、
前記凹んだ空洞を開放するため、前記係止ラッチを前記係止溝との係合から外した後に、前記ランプ・シェードを前記ヒンジ・アームを中心として、前記抜け止めリブが前記凹状のケースの上部壁に当接して妨げとなるまで跳ね上げることができ、ゆえに前記ヒンジ・アームが前記ヒンジ溝によって前記ランプ・シェードを振り上げおよび振り下ろしできるようにしており、前記抜け止めリブが前記ヒンジ・アームが前記ヒンジ溝からそのまま振り抜けてしまうことがないようにしている
請求項４５に記載の感応式照明設備。
【請求項４７】
前記ランプ・シェードが、弧状のシェルターを前方に向かって突き出して備えるとともに、該シェルターの下端に開口を形成しており、
該ランプ・シェードが、前記凹んだ空洞および前記光源開口を覆うため前記前面プレートに着脱可能に取り付けられる
請求項１に記載の感応式照明設備。
【請求項４８】
前記ランプ・シェードが、さらに透明フィルタ・レンズを前記下端の開口に取り付けて備える請求項４７に記載の感応式照明設備。
【請求項４９】
前記ランプ・シェードが、弧状のシェルターを前方に向かって突き出して備えるとともに、該シェルターの下端に開口を形成しており、
該ランプ・シェードが、前記凹んだ空洞および前記光源開口を覆うため前記前面プレートに着脱可能に取り付けられる
請求項８に記載の感応式照明設備。
【請求項５０】
前記ランプ・シェードが、さらに透明フィルタ・レンズを前記下端の開口に取り付けて備える請求項４９に記載の感応式照明設備。
【請求項５１】
前記ランプ・シェードが、弧状のシェルターを前方に向かって突き出して備えるとともに、該シェルターの下端に開口を形成しており、
該ランプ・シェードが、前記凹んだ空洞および前記光源開口を覆うため前記前面プレートに着脱可能に取り付けられる
請求項１０に記載の感応式照明設備。
【請求項５２】
前記ランプ・シェードが、さらに透明フィルタ・レンズを前記下端の開口に取り付けて備える請求項５１に記載の感応式照明設備。
【請求項５３】
前記ランプ・シェードが、弧状のシェルターを前方に向かって突き出して備えるとともに、該シェルターの下端に開口を形成しており、
該ランプ・シェードが、前記凹んだ空洞および前記光源開口を覆うため前記前面プレートに着脱可能に取り付けられる
請求項１５に記載の感応式照明設備。
【請求項５４】
前記ランプ・シェードが、さらに透明フィルタ・レンズを前記下端の開口に取り付けて備える請求項５３に記載の感応式照明設備。
【請求項５５】
前記ランプ・シェードが、弧状のシェルターを前方に向かって突き出して備えるとともに、該シェルターの下端に開口を形成しており、
該ランプ・シェードが、前記凹んだ空洞および前記光源開口を覆うため前記前面プレートに着脱可能に取り付けられる
請求項２５に記載の感応式照明設備。
【請求項５６】
前記ランプ・シェードが、さらに透明フィルタ・レンズを前記下端の開口に取り付けて備える請求項５５に記載の感応式照明設備。
【請求項５７】
前記ランプ・シェードが、弧状のシェルターを前方に向かって突き出して備えるとともに、該シェルターの下端に開口を形成しており、
該ランプ・シェードが、前記凹んだ空洞および前記光源開口を覆うため前記前面プレートに着脱可能に取り付けられる
請求項３１に記載の感応式照明設備。
【請求項５８】
前記ランプ・シェードが、さらに透明フィルタ・レンズを前記下端の開口に取り付けて備える請求項５７に記載の感応式照明設備。
【請求項５９】
スイッチ手段を、前記制御手段へと電気的に接続してさらに備えており、
該スイッチ手段が、該スイッチ手段がオフであるとき前記制御センサが機能せず環境の変化に反応せず、該スイッチ手段がオンであるとき前記制御センサが機能して前記環境の前記変化を検知するよう前記制御センサを制御するため、前記制御手段に組み込まれている
請求項１に記載の感応式照明設備。
【請求項６０】
スイッチ手段を、前記回路ユニットへと電気的に接続してさらに備えており、
該スイッチ手段が、該スイッチ手段がオフであるとき前記制御センサが機能せず環境の変化に反応せず、該スイッチ手段がオンであるとき前記制御センサが機能して前記環境の前記変化を検知するよう前記制御センサを制御するため、前記回路ユニットに組み込まれている
請求項１２に記載の感応式照明設備。
【請求項６１】
スイッチ手段を、前記回路ユニットへと電気的に接続してさらに備えており、
該スイッチ手段が、該スイッチ手段がオフであるとき前記制御センサが環境光を検出するための動作状態にはならず、該スイッチ手段がオンであるとき前記制御センサが環境光を検出すべく機能するように前記制御センサを制御するため、前記回路ユニットの前記回路に組み込まれている
請求項１５に記載の感応式照明設備。
【請求項６２】
スイッチ手段を、前記回路ユニットへと電気的に接続してさらに備えており、
該スイッチ手段が、該スイッチ手段がオフであるとき前記制御センサが環境光を検出するための動作状態にはならず、該スイッチ手段がオンであるとき前記制御センサが環境光を検出すべく機能するように前記制御センサを制御するため、前記回路ユニットの前記回路に組み込まれている
請求項３５に記載の感応式照明設備。
【請求項６３】
スイッチ手段を、前記回路ユニットへと電気的に接続してさらに備えており、
該スイッチ手段が、該スイッチ手段がオフであるとき前記制御センサが環境光を検出するための動作状態にはならず、該スイッチ手段がオンであるとき前記制御センサが環境光を検出すべく機能するように前記制御センサを制御するため、前記回路ユニットの前記回路に組み込まれている
請求項４６に記載の感応式照明設備。
【請求項６４】
スイッチ手段を、前記回路ユニットへと電気的に接続してさらに備えており、
該スイッチ手段が、該スイッチ手段がオフであるとき前記制御センサが環境光を検出するための動作状態にはならず、該スイッチ手段がオンであるとき前記制御センサが環境光を検出すべく機能するように前記制御センサを制御するため、前記回路ユニットの前記回路に組み込まれている
請求項４７に記載の感応式照明設備。
【請求項６５】
スイッチ手段を、前記回路ユニットへと電気的に接続してさらに備えており、
該スイッチ手段が、該スイッチ手段がオフであるとき前記制御センサが環境光を検出するための動作状態にはならず、該スイッチ手段がオンであるとき前記制御センサが環境光を検出すべく機能するように前記制御センサを制御するため、前記回路ユニットの前記回路に組み込まれている
請求項４９に記載の感応式照明設備。
【請求項６６】
スイッチ手段を、前記回路ユニットへと電気的に接続してさらに備えており、
該スイッチ手段が、該スイッチ手段がオフであるとき前記制御センサが環境光を検出するための動作状態にはならず、該スイッチ手段がオンであるとき前記制御センサが環境光を検出すべく機能するように前記制御センサを制御するため、前記回路ユニットの前記回路に組み込まれている
請求項５３に記載の感応式照明設備。
【請求項６４】
スイッチ手段を、前記回路ユニットへと電気的に接続してさらに備えており、
該スイッチ手段が、該スイッチ手段がオフであるとき前記制御センサが環境光を検出するための動作状態にはならず、該スイッチ手段がオンであるとき前記制御センサが環境光を検出すべく機能するように前記制御センサを制御するため、前記回路ユニットの前記回路に組み込まれている
請求項５５に記載の感応式照明設備。
【請求項６５】
スイッチ手段を、前記回路ユニットへと電気的に接続してさらに備えており、
該スイッチ手段が、該スイッチ手段がオフであるとき前記制御センサが環境光を検出するための動作状態にはならず、該スイッチ手段がオンであるとき前記制御センサが環境光を検出すべく機能するように前記制御センサを制御するため、前記回路ユニットの前記回路に組み込まれている
請求項５７に記載の感応式照明設備。
【請求項６６】
スイッチ手段を、周りのものの電源スイッチとして機能するよう、前記制御手段に電気的に接続してさらに備えている請求項１に記載の感応式照明設備。
【請求項６７】
スイッチ手段を、周りのものの電源スイッチとして機能するよう、前記制御手段に電気的に接続してさらに備えている請求項１２に記載の感応式照明設備。
【請求項６８】
スイッチ手段を、周りのものの電源スイッチとして機能するよう、前記制御手段に電気的に接続してさらに備えている請求項１５に記載の感応式照明設備。
【請求項６９】
スイッチ手段を、周りのものの電源スイッチとして機能するよう、前記制御手段に電気的に接続してさらに備えている請求項３５に記載の感応式照明設備。
【請求項７０】
スイッチ手段を、周りのものの電源スイッチとして機能するよう、前記制御手段に電気的に接続してさらに備えている請求項４６に記載の感応式照明設備。
【請求項７１】
スイッチ手段を、周りのものの電源スイッチとして機能するよう、前記制御手段に電気的に接続してさらに備えている請求項４７に記載の感応式照明設備。
【請求項７２】
スイッチ手段を、周りのものの電源スイッチとして機能するよう、前記制御手段に電気的に接続してさらに備えている請求項４９に記載の感応式照明設備。
【請求項７３】
スイッチ手段を、周りのものの電源スイッチとして機能するよう、前記制御手段に電気的に接続してさらに備えている請求項５３に記載の感応式照明設備。
【請求項７４】
スイッチ手段を、周りのものの電源スイッチとして機能するよう、前記制御手段に電気的に接続してさらに備えている請求項５５に記載の感応式照明設備。
【請求項７５】
スイッチ手段を、周りのものの電源スイッチとして機能するよう、前記制御手段に電気的に接続してさらに備えている請求項５７に記載の感応式照明設備。
【請求項７６】
電源コンセントを前記前面プレートに設けてさらに備え、該電源コンセントが、電源供給をもたらすため前記制御手段に電気的に接続されている請求項１に記載の感応式照明設備。
【請求項７７】
前記電源コンセントが使用されていないときに該電源コンセントを外側から覆うため、ヒンジ付けされた安全カバーをさらに備えている請求項７６に記載の感応式照明設備。
【請求項７８】
電源コンセントを前記前面プレートに設けてさらに備え、該電源コンセントが、電源供給をもたらすため前記制御手段に電気的に接続されている請求項１２に記載の感応式照明設備。
【請求項７９】
前記電源コンセントが使用されていないときに該電源コンセントを外側から覆うため、ヒンジ付けされた安全カバーをさらに備えている請求項７８に記載の感応式照明設備。
【請求項８０】
前記前面プレートに設けられ、電源供給をもたらすため前記制御手段に電気的に接続されている電源コンセント、および
該電源コンセントが使用されていないときに該電源コンセントを外側から覆うためのヒンジ付けによる安全カバー
をさらに備えている請求項１５に記載の感応式照明設備。
【請求項８１】
前記前面プレートに設けられ、電源供給をもたらすため前記制御手段に電気的に接続されている電源コンセント、および
該電源コンセントが使用されていないときに該電源コンセントを外側から覆うためのヒンジ付けによる安全カバー
をさらに備えている請求項３５に記載の感応式照明設備。
【請求項８２】
前記前面プレートに設けられ、電源供給をもたらすため前記制御手段に電気的に接続されている電源コンセント、および
該電源コンセントが使用されていないときに該電源コンセントを外側から覆うためのヒンジ付けによる安全カバー
をさらに備えている請求項４６に記載の感応式照明設備。
【請求項８３】
前記前面プレートに設けられ、電源供給をもたらすため前記制御手段に電気的に接続されている電源コンセント、および
該電源コンセントが使用されていないときに該電源コンセントを外側から覆うためのヒンジ付けによる安全カバー
をさらに備えている請求項４７に記載の感応式照明設備。
【請求項８４】
前記前面プレートに設けられ、電源供給をもたらすため前記制御手段に電気的に接続されている電源コンセント、および
該電源コンセントが使用されていないときに該電源コンセントを外側から覆うためのヒンジ付けによる安全カバー
をさらに備えている請求項５７に記載の感応式照明設備。
【発明の詳細な説明】
【技術分野】
【０００１】
（技術分野）
本発明は、建築用配線接続箱に関し、さらに詳しくは、金属製の配線接続箱に組み込まれて有用な照明装置を構成すべく、配線接続箱カバー、壁コンセントまたはスイッチ・パネルを置き替えるように構成されている感応式照明設備に関する。
【背景技術】
【０００２】
（背景技術）
あらゆる商業用および住居用の建築物には、電気の源を提供するため、あらかじめ壁にコンセントが据え付けられており、ユーザは、電気機器のプラグをコンセントに差し込むことによって、電気を供給すべくこの電気機器をコンセントに電気的に接続することができる。一般に、図１に示すように、電気配線Ａ１が壁コンセントＢ１の位置まで延びており、ここで電気配線Ａ１が壁コンセントＢ１の端子に電気的に接続されている。配線Ａ１と壁コンセントＢ１との間の電気的接続は、湿気や埃などの危険な環境を避けなければならず、金属製の建築用配線接続箱Ａ２が、例えば建築物の建設時に壁の構造梁Ｃ２へと取り付けることによって壁面Ｃ１にあらかじめ据え付けられており、電気配線Ａ１の端子側端部が、この建築用配線接続箱Ａ２の内部の空洞へと延びている。壁コンセントＢ１を据え付けるためには、単に壁コンセントＢ１を建築用配線接続箱Ａ２の前面に取り付けるだけでよく、配線Ａ１と壁コンセントＢ１の端子との間の電気的接続が、建築用配線接続箱Ａ２内で外部から保護される。同様に、壁取り付けのスイッチ・パネルＤ１も、その電気的接続を保護すべく、建築用配線接続箱Ａ２の前面に取り付けられるように構成されている。
【０００３】
ところで、壁コンセントおよびスイッチ・パネルを構成するために建築用配線接続箱を利用するという構成上の必要性ゆえ、ユーザ、とくには建築物の商業上の所有者が、彼らの実際の必要性に応じてスイッチまたはコンセントを取り付けることができるよう、多くの建築物には、可能な限り多くの建築用配線接続箱が設けられることになる。一方で、建築用配線接続箱Ａ２が利用されないとき、すなわち建築用配線接続箱Ａ２に壁コンセントＣ１もスイッチ・パネルＤ１も取り付ける必要がないとき、配線接続箱カバーＥ１が、外側から建築用配線接続箱Ａ２に蓋をすべく使用される。
【０００４】
また、壁コンセントＢ１が利用されないとき、子供がコンセントに近づくことがないようにし、あるいは液体が差し込み孔を通って壁コンセントＢ１へと進入することがないようにするため、プラスチックの差し込みカバーＦ１を壁コンセントＢ１に差し込むことが提案されている。しかしながら、このような差し込みカバーＦ１は、３歳以下の幼児にしか役に立たないであろう。普段は使用されていない壁コンセントＢ１について、差し込みカバーＦ１を引き抜いてこれら壁コンセントＢ１をいたずらすることは、年長の子供にとってはきわめて簡単である。したがって、通常は使用されていないあらゆる壁コンセントについて、保護のため、および子供の手が届かないようにするため、壁コンセントＢ１を配線接続箱カバーＥ１と交換することが推奨される。安全上の理由からは、使用されない建築用配線接続箱に恒久的に蓋をすることは、何も悪いことではない。しかしながら、実用上の目的からは、そのようにすることは資源の無駄遣いである。
【０００５】
ところで、夜間用照明設備が、通路、階段、浴室、寝室、ならびに安全性および利便性の目的で弱いレベルの照明が望まれるその他の場所を照らすべく、屋内および屋外の両者で使用されている。
【０００６】
一般に、屋外用の設備は、壁構造へと埋め込まれており、家、アパートおよびその他の建築物に収容されている通常の電気配線系統へと接続されている。これらの設備は、通常は、照明をもたらすべく光が通過するルーバまたは他の同種の開口が設けられてなる露出面またはプレートを有している。設備の残りの部分は、壁構造に埋め込まれて隠されている。光は、通常は、手動によってオンオフされ、あるいはあらかじめ設定されたタイマーによってオンオフされる。光電セルが用いられている場合には、当該光電セルは、埋め込みされた設備から分離されている。
【０００７】
手動操作の設備の場合には、光および電気エネルギーの保存は、適宜の人的介在に依存する。前もって設定されるタイマーは、前もって設定された照明期間を維持し、実際の外部環境の光の状況を顧みることがない。したがって、照明が不要な場合でも電気光をオンにしてしまう可能性があり、暗闇が広がって安全上の傷害や危険が生じる場合に、オフにしてしまう可能性がある。
【０００８】
米国特許第４，３４３，０３２号が、屋内用の夜間照明を開示しているが、ほとんど埋め込みされておらず壁から外へと突き出しており、子供にとって危険であり、不便でもある。屋外用照明設備は、多くの場合、自然に対して封止されている。屋内用の照明は封止されておらず、屋外用途には適していない。米国特許第２，８５７，３７１号は、壁面に設けた穴へと一体に据え付けられる埋め込み式の照明設備を開示している。これは、この埋め込み式照明設備をねじ止めするための穴をユーザが壁に正確な寸法で設けなければならないという点で、壁用ランプと似ている。しかしながら、そのような照明設備は、建築物の建設者が新規に建設する構造体へと据え付けるように特有に設計されている。米国において、建築物の縦横の枠体によって支持されている壁面が、通常は、厚紙、アスベスト板、または石膏ボードで製造されていることはよく知られており、これらは、照明設備を支持するために充分堅固ではなく、剛でもない。家のユーザおよび不動産所有者に関し、彼らはおそらく、‘３７１号特許の提案するような埋め込み式照明設備をはめ込むべく正しい位置に正しい穴を設けるすべを知らないばかりか、‘３７１号特許の図２および３に示されているような照明用設備をねじ止めすべき建築物の縦横の枠体が、壁面の背後のどこに位置しているのかさえ、突き止めることができないであろう。家のユーザにとってのさらにもう１つの困難は、壁面の背後の電気配線を接続および延長して、電力を供給すべく照明設備の電球に電気的に接続する作業が、かなりの熟練を必要とするとともに、かなり危険でもあるという点である。
【発明の開示】
【発明が解決しようとする課題】
【０００９】
（発明の開示）
本発明の主たる目的は、実用的な照明装置を構成すべく壁面、天井または床面に作りつけられた建築用配線接続箱に組み込まれるようとくに設計された感応式照明設備であって、周囲に対する望ましくない危険を回避すべく使用されていない壁コンセントまたはスイッチ・パネルを置き替えることができ、かつ夜間照明、通路の指示などの追加の有用な機能をもたらすことができる感応式照明設備を提供することにある。換言すれば、使用していない壁コンセントを、既存の建築用配線接続箱を使用しつつ感応式照明設備で置き替えることによって、子供およびペットが使用していない壁コンセントで感電することを、事実上防止することができる。
【００１０】
本発明の他の目的は、建築用配線接続箱のための感応式照明設備であって、壁面、天井または床面に作りつけられた金属製の既存の建築用配線接続箱が当該感応式照明設備の外箱として使用されるため、当該感応式照明設備の電気的接続を収容するための金属製ケースを製造する必要がなく、製造工程の削減ならびに製品コストの低減が可能な感応式照明設備を提供することにある。
【００１１】
本発明の他の目的は、建築用配線接続箱のための感応式照明設備であって、電気配線がすでに建築用配線接続箱の中まで延びて建築用配線接続箱内に提供されているため、据え付けが容易であり、かつユーザが当該感応式照明設備のための電力源の心配をする必要がない感応式照明設備を提供することにある。
【００１２】
本発明の他の目的は、建築用配線接続箱のための感応式照明設備であって、壁に追加の孔を開ける必要がなく、かつ電力源からの電気配線を引き延ばす必要もない壁面取り付けの埋め込み式照明設備をもたらす感応式照明設備を提供することにある。
【００１３】
本発明の他の目的は、建築用配線接続箱のための感応式照明設備であって、子供に危険をもたらし不便でもある部品の壁面からの突き出しを防止するため、壁と平坦な表面を有する埋め込み式の夜間照明をもたらす感応式照明設備を提供することにある。
【００１４】
本発明の他の目的は、建築用配線接続箱のための感応式照明設備であって、差し込み式の低電圧の蛍光ランプを光源として提供し、該差し込み式の蛍光ランプを収容して固定するようとくに設計された蛍光ランプ・ソケットを提供し、該差し込み式の蛍光ランプの取り外しが、単に該差し込み式の蛍光ランプを前記ソケットから外向きに引っ張り出すだけであって簡単であり、該差し込み式の蛍光ランプの取り付けも、単に該蛍光ランプの２つの端子アームをそれぞれ前記蛍光ランプ・ソケットの２つの端子溝へと内側に向かって差し込むだけであって簡単であり、該蛍光ランプが、安定な電源供給を確保すべく良好な直線電気コンタクトを有している感応式照明設備を提供することにある。
【００１５】
本発明の他の目的は、建築用配線接続箱のための感応式照明設備であって、光源用の凹所内の蛍光ランプを覆うべく台座へとつながるために着脱可能なヒンジを利用するランプ・シェードを有し、ユーザが、このランプ・シェードを取り外す、または跳ね上げることによって、交換のために蛍光ランプに容易に手を伸ばすことができる感応式照明設備を提供することにある。したがって、ユーザは、いつでも容易に他の色の蛍光ランプへと変更を行なうことができる。
【００１６】
本発明の他の目的は、建築用配線接続箱のための感応式照明設備であって、一部のユーザを不快にするかもしれない光線の正面での直接目視を防ぐため、光線を下方へと案内するための光シェルターをさらに有している感応式照明設備を提供することにある。さらに、虫が光源用の凹所内に入り込むことがないよう、光シェルターの底部開口にフィルタ・レンズを取り付けることが可能である。
【００１７】
本発明の他の目的は、建築用配線接続箱のための感応式照明設備であって、照明設備のオンオフを制御するため可視光検出用光電セルを備えており、この光電セルが、この光電セルが環境光を検出した場合に光源をオフにし、この光電セルが環境光を検出しない場合に光源をオンにするよう構成されている感応式照明設備を提供することにある。
【００１８】
本発明の他の目的は、建築用配線接続箱のための感応式照明設備であって、ユーザが思いのままに光電セルおよび照明設備をオフにすることができるスイッチをさらに備えている感応式照明設備を提供することにある。さらに、当該建築用配線接続箱において、そのような位置で時には電源を必要とするかもしれないユーザに電源を提供するため、照明装置に、ヒンジ付きのカバーを有する補助的なコンセントが設けられている。
【００１９】
本発明の他の目的は、建築用配線接続箱のための感応式照明設備であって、周囲のインテリア・デザインおよびユーザの気分に合わせるため、その時々にユーザが自由にランプの色および／またはフィルタ・レンズの色および形を変更することができる感応式照明設備を提供することにある。
【課題を解決するための手段】
【００２０】
以上の目的を達成するため、本発明は、
金属製の壁で囲まれた凹んだ空洞をもたらすべく或る表面に据え付けされ、該凹んだ空洞内まで電源からの電気配線が引き込まれている建築用配線接続箱のための感応式照明設備であって、
前面プレートおよび該前面プレートから後方に向かって延びた凹状のケースからなり、該凹状のケースが、該凹状のケースに凹み付けられた光源ソケットおよび前記前面プレートに開けられた光源開口を有しており、該凹状のケースが、前記建築用配線接続箱の凹んだ空洞内へと配置されるような寸法とされる一方で、前記前面プレートが、前記建築用配線接続箱の凹んだ空洞を覆うような寸法とされている台座；前記光源ソケット内に配置された光源；前記台座の前面プレートに着脱可能に取り付けられ、前記光源開口を覆うような寸法とされているランプ・シェード；前記台座の前面プレートに設けられ、外部へと露出している制御センサ；および前記光源を前記建築用配線接続箱へと引き込まれた前記電気配線へと電気的に接続し、さらに前記制御センサと前記光源を、可視光検出器が環境光を検出したときに前記制御センサが前記光源をオフにし、制御センサが環境光を検出しないときに光源をオンにするように電気的に接続するための手段、を有する感応式照明設備を提供する。
【００２１】
他の態様においては、建築用配線接続箱と組み合わされるように構成された本発明の感応式照明設備が、少なくとも１枚の前面プレート、建築用配線接続箱内に配置された光反射器、該光反射器内に配置された電気式光源、および前記光源と電気的につながっている可視光検出用光電セルを備えており、前記前面プレートが、外部の環境光が前記光電セルへと到達できるようにするための第１の開口を有している。これにより、前記光電セルが、光電セルが環境光を検出したときに光源をオフにし、光電セルが環境光を検出しないときに光源をオンにするよう構成されている。さらに前面プレートは、外部空間に照明をもたらすため、前記電気式光源からの光の通過を許すように構成された第２の開口を有している。
【００２２】
代案となる別の態様においては、壁へと埋め込まれた建築用配線接続箱に組み合わされるように構成された本発明の感応式照明設備が、壁面に露出した少なくとも１枚の前面プレート、配線接続箱内に配置された光反射器および電気式光源、ならびに前記光源と電気的につながっている可視光検出用光電セルを有しており、前記前面プレートが、外部の環境光が前記光電セルへと到達できるようにするための第１の開口を有している。これにより、前記光電セルが、光電セルが環境光を検出したときに光源をオフにし、光電セルが環境光を検出しないときに光源をオンにするよう構成されている。さらに前面プレートは、外部空間に環境光の状況に応じて必要とされる照明を自動的にもたらすため、前記電気式光源からの光の通過を許すための第２の開口を有している。
【発明を実施するための最良の形態】
【００２３】
図２〜６を参照すると、本発明の好ましい実施の形態による感応式照明設備１が示されており、図１に示した建築用配線接続箱Ａ２に組み合わされるように構成されている。図１に示した建築用配線接続箱Ａ２は、壁面、天井面または床面に設置され、金属製の壁２３Ａで囲まれた凹んだ空洞Ａ２１と、４つの角のねじ座Ａ２２とをもたらしており、電源Ｇ１からの電気配線Ａ１が、凹んだ空洞Ａ２１の中まで延びている。
【００２４】
感応式照明設備１は、台座１０、光源２０、ランプ・シェード３０、および制御センサ４０を有している。台座１０は、前面プレート１１および前面プレート１１から後方に向かって延びた凹状のケース１２からなり、凹状のケース１２が、凹み付けられた光源ソケット１２１および前面プレート１１に開いた光源開口１２２を有しており、凹状のケース１２が、建築用配線接続箱Ａ２の凹んだ空洞Ａ２１内へと配置されるような寸法とされる一方で、前面プレート１１は、建築用配線接続箱Ａ２の凹んだ空洞Ａ２１を覆うような寸法とされている。
【００２５】
光源２０が、光源ソケット１２１へと配置される差し込み式の蛍光ランプとして具現化されており、差し込み式の蛍光ランプ台座２１および蛍光ランプ台座２１に取り付けられた蛍光ランプ素子２２を有している。さらに、感応式照明設備１は、光源２０を建築用配線接続箱Ａ２内を延びる電気配線Ａ１へと電気的に接続するための制御手段５０を有している。
【００２６】
図２〜４に示すように、蛍光ランプ素子２２は、筒状の蛍光ランプ電球２２１および蛍光ランプ電球２２１の両端から延びる２組の端子ワイヤ２２２からなる。蛍光ランプ台座２１は、前面に開口を有する弧状の台座ハウジング２１１、台座ハウジング２１１の両端から後方に向かって延びる２つの端子アーム２１２、および台座ハウジング２１１の両端にヒンジ接続された２つの端部ホルダ２１３からなり、２つの端子アーム２１２のそれぞれが、１対の貫通孔２１４を有している。蛍光ランプ素子２２は、蛍光ランプ素子２２に着座してこれに沿って延びるように構成され、２組の端子ワイヤ２２２が、２対の貫通孔２１４を通って後方に向かって延び、端子ワイヤ２２２の４つの終端部が、それぞれ端子アーム２１２から後方に突き出して、それぞれ２つの端子アーム２１２の２つの内側コンタクト面に向かって内側に曲げられ、２組の電気端子コンタクト２２２Ａを構成するように構成されている。
【００２７】
これに対応し、光源ソケット１２１が、弧状の光反射面１２３を有しており、光源２０を光源ソケット１２１内に取り付けて反射面１２３の前方に位置させるため、互いに離間した２つの端子溝１２４を、２つの端子アーム２１２がそれぞれ挿入されるように構成して備えている。
【００２８】
制御手段５０は、凹状のケース１２を通って延びる２組のソケット端子５１と、回路ユニット５２とを有している。ソケット端子５１のそれぞれは、ソケット端子５１１を構成すべく対応する端子溝１２４内へと延びる前部弾性部分、および凹状のケース１２の後方室１２５へと延びた後端を有しており、回路ユニット５２は、後方室１２５内に収容されている。２組のソケット端子５１１は、光源２０の２つの端子アーム２１２が２つの端子溝１２４へとそれぞれ差し込まれたとき、回路ユニット５２と光源２０の蛍光ランプ素子２２の間に電気を導くべく、２組のソケット端子５１１が２組の端子コンタクト２２２Ａへと押し付けられるように構成されている。
【００２９】
図６は、回路ユニット５２の具体的な回路を示しており、主として、制御センサ４０がオフ条件を検出したときに制御センサ４０が光源２０の蛍光ランプ素子２２をオフにし、制御センサ４０がオン条件を検出したときにオンにするよう、制御センサ４０を光源２０と相互作用させる。図２に示したように、前面プレート１１の上方位置にセンサ開口１１１が形成され、制御センサ４０が、センサ開口１１１に取り付けられる。
【００３０】
図２に示した好ましい実施の形態によれば、制御センサ４０が、可視光検出用光電セルなどの可視光検出器４０Ａとして具現化され、電線４１を介して制御回路５２に電気的に接続され、可視光検出用光電セル４０Ａが環境光を検出した（すなわち、オフ条件）とき光源２０をオフにし、可視光検出用光電セル４０Ａが環境光を検出しない（すなわち、オン条件）とき光源２０をオンにするよう構成されている。
【００３１】
あるいは、制御センサ４０が、センサ開口１１１に取り付けられた運動センサ４０Ｂであってもよく、運動センサ４０Ｂが、生の運動が検出されない（すなわち、オフ条件）とき光源２０をオフにし、生の運動を検出した（すなわち、オン条件）とき光源２０をオンにするよう構成されている。所定の条件にもとづいて光源２０を自動的にスイッチ・オン／オフするため、他の制御センサも使用可能である。
【００３２】
さらに制御手段５０は、凹状のケース１２を凹んだ空洞Ａ２１内に配置しつつ電力源に接続するため、凹んだ空洞Ａ２１内の電気配線Ａ１と電気的に接続すべく回路ユニット４２から延びた細長い入力配線Ｌ、Ｎを有している。前面プレート１１は、凹んだ空洞Ａ２１を完全に覆うとともに、（図７に示すとおり）壁面、天井または床面と平坦に位置している。前面プレート１１は、建築用配線接続箱Ａ２の４つの角のねじ座Ａ２２と整列する複数の取り付け穴１１２を両側部に有しており、取り付け穴１１２およびねじ座Ａ２２によって前面プレート１１を建築用配線接続箱Ａ２に締め付けることによって、台座１０を所定の位置に固定することができる。
【００３３】
図２に示すとおり、さらに台座１０は、回路ユニット５２を包囲すべく凹状のケース１２の後方室１２５を覆うため、凹状のケース１２の後端に取り付けられるケース・カバー１３を有している。
【００３４】
図２、３Ａ、５Ａ、および５Ｂを参照すると、本発明の感応式照明設備１のランプ・シェード３０が、光源開口１２２を覆うような寸法とされ、台座１０の前面プレート１１に着脱可能に取り付けられている。本発明の好ましい実施の形態によれば、一対のヒンジ溝３１が、光源開口１２２の上縁に間隔をあけて形成され、係止溝３２が、光源開口１２２の下縁に形成されている。ランプ・シェード３０は、光線が通過可能である前方に突き出したカバー・レンズ３３、離間して配置されランプ・シェード３０の上側から後方に向かって延びた２つのヒンジ・アーム３４、およびランプ・シェード３０の下側から後方に向かって突き出した係止ラッチ３５を有している。ヒンジ・アーム３４はそれぞれ弧状の形状を有し、弧状のヒンジ・アーム３４の自由端部から後方および上方に突き出した抜け止めリブ３４１を備えている。
【００３５】
ランプ・シェード３０は、２つの弧状のヒンジ・アーム３４を、図５Ａおよび５Ｂに示すとおり前面プレート１１の背後に位置するまで、２つのヒンジ溝３１を通してそれぞれ挿入することによって、台座１０の前面プレート１１に着脱可能に取り付けられる。したがって、通常は、ランプ・シェード３０は、図５Ａに示すとおり重力によってぶら下がる。さらに、ランプ・シェード３０を、係止ラッチ３５を係止溝３２に係合させることによって、所定の位置に係止することができる。光源２０を新しい光源または別の色の光源へと交換する必要があるとき、ユーザは、単に係止ラッチ３５を係止溝３２との係合から外し、図５Ｂに示すとおり、ランプ・シェード３０をヒンジ溝３１にあるヒンジ・アーム３４を中心として、抜け止めリブ３４１が凹状のケース１２の上部壁に当接して妨げとなるまで跳ね上げればよい。換言すれば、弧状のヒンジ・アーム３４が、ヒンジ溝３１によってランプ・シェード３０を上下に振り動かすことができるようにし、抜け止めリブ３４１が、ヒンジ・アーム３４がヒンジ溝３１からそのまま振り抜けてしまうことがないようにし、ランプ・シェード３０の最大開放位置を規定している。
【００３６】
前面プレート１１の穴１１２を覆い、ランプ・シェード３０を固定するため、さらに感応式照明設備１は、図２および３Ａに示すとおり、前面プレート１１へと取り付けられるべく使用される保護カバー６０を備えている。保護カバー６０は、一体かつ背面から後方に向かって突き出した複数の係合ラッチ６１を備えており、これに対応して、前面プレート１１が複数の係合溝１１を有しており、係合ラッチ６１を係合溝１１に差し込むことによって、保護カバー６０を前面プレート１１に堅固に取り付けることができる。保護カバー６０は、制御センサ４０を外部へと露出させることができるよう、センサ・レンズ６２を制御センサ４０に整列させて有し、光源２０が外部と通じることができるよう窓６３を有している。保護カバー６０が、いかなるねじも使用することなく前面プレート１１に取り付けられているため、子供たちは、通常は、どのように保護カバーを開ければよいのか見抜くことができず、前面プレート１１から保護カバーを外すために充分な力も持っていない。
【００３７】
図７を参照すると、上記好ましい実施の形態の代案となる第１、第２および第３の態様が、壁面Ｗ１に設けられた３つの建築用配線接続箱Ａ２Ａ、Ａ２ＢおよびＡ２Ｃへと据え付けられた３つの感応式照明設備１Ａ、１Ｂおよび１Ｃとして示されており、ここで、代案となる第１の態様の感応式照明設備１Ａは、ランプ・シェード３０のカバー・レンズ３３に図柄３３１が印刷され、光源２０からランプ・シェード３０を通って発せられる光線が装飾的な模様を形成する点を除き、図２〜６に示した前記好ましい実施の形態と構造的に同一である。
【００３８】
図７および８に示すとおり、代案となる第２の態様の感応式照明設備１Ｂは、ランプ・シェード３０Ｂおよび保護カバー６０Ｂを除き、前記好ましい実施の形態と同じ構造を有している。また、感応式照明設備１Ｂは、回路ユニット５２へと電気的に接続されたスイッチ手段７０をさらに有している。カバー・レンズ３３を形成する代わりに、この代案となる第２の態様は、前方に向かって突き出すとともに、下端に開口３３１Ｂを有している弧状のシェルター３３Ｂを提供している。あるいは、ランプ・シェード３０Ｂが、ランプ・シェード３０Ｂの下縁から後方に向かって突き出した２つの係止ピン３５１Ｂを、光源開口１２２の下縁に設けられた２つの係止溝３２Ｂへと挿入し、さらにランプ・シェード３０Ｂの上部リップ３４Ｂを光源開口１２２の上縁にねじ止めすることによって、凹んだ空洞１２１および光源開口１２２を覆うべく前面プレート１１に着脱可能に取り付けられる。ランプ・シェード３０Ｂが非透過性の材料で作られる場合、光源２０からの光線は、下端の開口３３１Ｂを通ってのみ地面に向かって発せられ、直接眼に入って眩惑を生じさせることがない。さらに、虫が凹んだ空洞１２１へと入ることがないよう、ランプ・シェード３０Ｂが、透明なフィルタ・レンズ３６Ｂを下端の開口３３１Ｂに取り付けて備えてもよい。これに対応し、保護カバー６０Ｂの窓６３Ｂは、シェルター３３Ｂの形状に一致するよう半円形に作られている。
【００３９】
さらに、スイッチ手段７０が、スイッチ手段７０がオフにされているときには制御センサ４０Ｂが機能せず環境の変化に反応しないようにし、スイッチ手段７０がオンにされているときには、例えば制御センサ４０が運動センサの場合には周囲において生の運動が発生したか否か、制御センサが可視光検出用光電セルの場合には周囲に環境光が存在するか否かなど、制御センサ４０が環境の変化を検知すべく機能するように制御センサ４０Ｂを制御するため、回路ユニット５２の回路に組み込まれている。あるいは、スイッチ手段７０を、感応式照明設備１Ｂが部屋の照明スイッチまたは天井ファンのスイッチを事実上置き替えて、ユーザが、感応式照明設備１Ｂを案内光または夜間照明として利用しつつ、さらにスイッチ手段７０を、天井ファン、天井ライトまたは周囲のフロア・ランプをオン／オフするために使用することができるよう、電源スイッチとして機能するように回路内に配置することも可能である。この結果、ユーザは、暗闇の中でも容易に電源スイッチの位置を突き止めることができる。
【００４０】
図７に示すとおり、代案となる第３の態様の感応式照明設備１Ｃは、制御センサ４０として運動センサ４０Ｂが使用されている点、および電源コンセント８０が組み込まれている点を除き、前記好ましい実施の形態と同じ構造を有している。電源コンセント８０は、回路ユニット５２へと電気的に接続されており、壁コンセントをユーザに依然として電源コンセントを提供しつつ感応式照明設備１で置き替えるために、とくに有用である。さらに、安全カバー８１が、保護カバー６０Ｃにヒンジで取り付けられて、通常時に電源コンセント８０を外部から保護する一方で、ユーザは、使用のため単純に安全カバー８１を跳ね上げて電源コンセント８０に手を延ばすことができる。
【００４１】
安全上の関心から、電気的配線接続を壁の中に位置し、あるいは天井および床面の背後に位置している建築用配線接続箱など、金属製の箱内に収容すべきであることは、よく知られている。建築用配線接続箱を利用することによって、本発明の感応式照明設備は、金属製の収容箱を製作する必要がなく、製品のコストが大幅に削減される。実際、両方の台座とも、プラスチックで簡単に製作することができる。感応式照明設備が既設の建築用配線接続箱内に据え付けられたとき、プラスチック製の台座は、建築用配線接続箱によって包囲および保護され、すべての電気的配線接続も、建築用配線接続箱の中にある。
【００４２】
図９および１０を参照すると、前記好ましい実施の形態の代案となる第４の態様が示されており、感応式照明設備１’が、建築用配線接続箱Ａ２に組み込まれるように構成されており、建築用配線接続箱Ａ２は、家、アパートまたは他の構造体において見られる通常の電気回路へと延びて接続される必要な電気配線のため、開口または貫通孔Ａ２３を有している。
【００４３】
感応式照明設備１’は、前面プレートまたは蓋１４’、および配線接続箱Ａ２内に配置されるように構成された光反射器１８’を備えている。光反射器１８’も、電気配線を好ましくはハロゲン・ランプである電球２２’へと導くための開口または貫通孔１８’を有している。電球２２’は、ランプホルダ２４’に差し込まれている。ランプホルダ２４’は、ねじ２８’によってランプホルダ金具２６’に接続されている。
【００４４】
光電セル・ホルダー３０’が、電球２２’に電気的に作用可能に接続されている光電セル３２’の固定具として機能する。
【００４５】
光電セル３２’は、その外側端がアクセス開口３４’に近接しており、このアクセス開口３４’によって光電セル３２’は、前面プレート１４’の向こうの外部空間における環境光の存在または非存在を検知することができる。光電セル３２’は、配線接続箱Ａ２の中にあってもよく、配線接続箱Ａ２の外側に取り付けられてもよく、前面プレート１４’に取り付けられてもよく、あるいは前面プレート１４’の後ろの壁構造体に取り付けられてもよい。
【００４６】
ガラス板３６’を、前面プレート１４’の内面と光反射器１８’との間に設けてもよい。
【００４７】
前面プレート１４’には、前面プレート１４’の向こうの空間に夜間照明をもたらすべく電球２２’をオンにしたときに電球２２’からの光がガラス板３６’および前面プレート１４’を通過することができるよう、光ルーバ３８’が設けられている。複数のルーバ１５’が、好ましくは床面または通路へと照明を導くように配置され、照明を効率的に利用するとともに、眩惑を防止している。
【００４８】
手動によるオンオフ・スイッチ４０’を、光電セル３２’の動作に優先するように設けてもよい。
【００４９】
図１１および１２を参照すると、前記好ましい実施の形態の代案となる第５の態様の感応式照明設備１”が示されており、屋外使用のために設計され、配線接続箱Ａ２”を防水性および防湿性にするために水密封止用ガスケット４２”および４４”を設けることができる。好ましくは、配線接続箱Ａ２”が密閉され、屋内および屋外の両者の汎用とされている。光源、光反射器および光電セルを収容した配線接続箱Ａ２”は、自己完結型かつ可搬式であり、容易に取り付け、取り外し、および再取り付けを行なうことが可能である。
【００５０】
光電セル３２”に頼る必要がない場合、開口３４”にカバー４６”で蓋をしてもよい。
【００５１】
図９および１０に示されているように、感応式照明設備１’を、例えば構造体の骨組みの一部を構成している間柱４６’へと、ねじによって取り付けてもよい。感応式照明設備１’は、プレート１４’が壁面とほぼ同一面になるよう奥まっている。感応式照明設備１’は、部屋の内部空間へと侵入することはなく、事故による損傷にさらされることもない。感応式照明設備１’には、露出した電気コンセントが一切なく、小さい子供に魅力的ないたずらを提供してはいない。
【００５２】
光源として低電力の電球または蛍光素子が使用され、さらに可視光検出器が備えられたとき、本発明の感応式照明設備は、手動による操作または人間による目配りを必要とすることなく、環境光の変化に応答して自動的に機能し、とくに制御センサとして運動センサが使用された場合には、誰かが家または土地に存在するか否かに応じて光がオンオフされる。したがって、本発明は、以下のとおり大きな安全上の利点をもたらす。
【００５３】
（１）感応式照明設備が、実用的な照明装置を構成すべく壁面、天井または床面に作りつけられた建築用配線接続箱に組み込まれるようとくに設計されており、この感応式照明設備が、周囲や子供に対する望ましくない危険を防止すべく、使用されていない壁コンセントまたはスイッチ・パネルを置き替えることができ、かつ夜間照明、通路の案内などの追加の有用な機能をもたらすことができる。換言すれば、使用していない壁コンセントを、既存の建築用配線接続箱を使用しつつ感応式照明設備で置き替えることによって、子供およびペットが使用していない壁コンセントで感電することを、事実上防止することができる。
【００５４】
（２）壁面、天井または床面に作りつけられた金属製の既設の建築用配線接続箱が感応式照明設備の外箱として使用されるため、本発明の感応式照明設備は、感応式照明設備の電気的接続を収容するための金属製ケースを製造する必要がなく、製造工程だけでなく製品コストをも低減することができる。
【００５５】
（３）建築用配線接続箱用の感応式照明設備は、電気配線がすでに建築用配線接続箱の中まで延びて建築用配線接続箱内に提供されているため、据え付けが容易であり、かつユーザが感応式照明設備のための電力源の心配をする必要がない。
【００５６】
（４）感応式照明設備が、壁に追加の孔を開ける必要がなく、かつ電力源からの電気配線を引き延ばす必要もない壁面取り付けの埋め込み式照明設備をもたらす。
【００５７】
（５）感応式照明設備が、子供に危険をもたらし不便でもある部品の壁面からの突き出しを無くすため、壁と平坦な表面を有する埋め込み式の夜間照明を提供する。
【００５８】
（６）感応式照明設備が、差し込み式の低電圧の蛍光ランプを光源として提供し、この差し込み式の蛍光ランプを収容して固定するようとくに設計された蛍光ランプ・ソケットを提供しているため、差し込み式の蛍光ランプの取り外しが、単に差し込み式の蛍光ランプをソケットから外向きに引っ張り出すだけであって簡単であり、差し込み式の蛍光ランプの取り付けも、単に蛍光ランプの２つの端子アームをそれぞれ内側に向かって蛍光ランプ・ソケットの２つの端子溝へと差し込むだけであって簡単であり、蛍光ランプが、安定な電源供給を確保すべく良好な直線状の電気コンタクトを有している。
【００５９】
（７）建築用配線接続箱用の感応式照明設備が、光源用の凹所内に位置する蛍光ランプを覆うべく台座へとつながるために着脱可能なヒンジを利用するランプ・シェードを有しており、ユーザは、このランプ・シェードを取り外す、または跳ね上げることによって、交換のために蛍光ランプへと容易に手を伸ばすことができる。したがって、ユーザは、いつでも容易に他の色の蛍光ランプへと変更を行なうことができる。
【００６０】
（８）感応式照明設備が、一部のユーザを不快にするかもしれない光線の正面での直接目視を防ぐため、光線を下方へと案内するための光シェルターを有していてもよい。さらに、虫が光源用の凹所内に入り込むことがないよう、光シェルターの底部開口にフィルタ・レンズを取り付けることが可能である。
【００６１】
（９）建築用配線接続箱用の感応式照明設備が、照明設備のオンオフを制御するため可視光検出用光電セルを備えており、この光電セルが、この光電セルが環境光を検出した場合に光源をオフにし、この光電セルが環境光を検出しない場合に光源をオンにするよう構成されている。
【００６２】
（１０）建築用配線接続箱用の感応式照明設備が、ユーザが光電セルおよび照明設備を思いのままにオフにすることができるスイッチをさらに備えてもよい。さらに、当該建築用配線接続箱において、そのような位置で時には電源を必要とするかもしれないユーザに電源を提供するため、照明装置にヒンジ付きのカバーを有する補助的なコンセントが設けられている。
【００６３】
（１１）夜間照明設備として使用される場合、感応式照明設備が夜間照明を提供するため自動的に動作し、これは、夜間照明がもはや人間の介在によらないという点で、安全上の大きな利点をもたらす。さらに、タイマーも関与してはいないため、実際に必要なときのみ、すなわち暗闇またはほぼ暗闇となったときにのみ、照明が行なわれる。
【００６４】
（１２）感応式照明設備が壁内に埋め込まれており、空間を消費し、清掃の障害となり、あるいは子供を惹きつけて彼らを通電中の電気コンタクトに触れる危険にさらす壁面からの外向きの突出物がない。感応式照明設備は、面一に取り付けられて凹所を隠す前面プレートを有している。
【００６５】
（１３）一実施の形態においては、光源、光反射器、光電セルおよびすべての接続配線が、建築用配線接続箱内に埋め込まれている。
【００６６】
（１４）一実施の形態においては、感応式照明設備に、設備の外側前面と光でつながっている光電セルが奥まって設けられ、この光電セルが、暗闇に反応して自動的に光を「オン」にし、環境光に反応して自動的に光を「オフ」にするよう構成されている。さらに設備は、前面プレートを面一に取り付けて備えることができ、前面プレートに、光電セルの動作に優先する手動操作のオンオフ・スイッチを備えることができる。さらに、感応式照明設備を、水およびその他の自然に対して密閉し、屋外の壁への設置ならびに屋内の壁への設置に適するようにすることができる。
【００６７】
（１５）一実施の形態においては、好ましくは感応式照明設備の前面プレートに、光源からの照明が通過するルーバが設けられる。ルーバは、照明を床面に向かって下方へと導くように構成され、眩しさを減らし、光の無駄を減らし、さらに快適な睡眠を妨げうる過剰な照明を防止する。
【００６８】
（１６）ユーザは、周囲のインテリア・デザインならびにユーザの気分に合わせるため、その時々に自由にランプの色および／またはフィルタ・レンズの色および形を変更することができる。
【００６９】
図面に示し上記で説明した本発明の実施の形態があくまで例示であり、本発明を限定しようとするものではないことを、当業者であれば理解できるであろう。すなわち、この実施の形態は、本発明の目的を完全かつ効果的に達成するものと見ることができる。実施の形態は、本発明の機能および構造的原理を明らかにする目的で図示および説明されており、そのような原理から離れることなく変更が加えられる。したがって、本発明は、以下の特許請求の範囲の技術的思想および技術的範囲に包含されるすべての変更を含むものである。
【図面の簡単な説明】
【００７０】
【図１】図１は、壁コンセント、スイッチ・パネル、またはカバー板のための建築用配線接続箱の分解斜視図である。
【図２】図２は、本発明の好ましい実施の形態による建築用配線接続箱用感応式照明設備の分解斜視図である。
【図３Ａ】図３Ａは、建築用配線接続箱へと設置された本発明の前記好ましい実施の形態による感応式照明設備の正面図である。
【図３Ｂ】図３Ｂは、本発明の前記好ましい実施の形態による感応式照明設備の後面図であり、ケース・カバーは取り外されている。
【図４】図４は、本発明の前記好ましい実施の形態による感応式照明設備の上面断面図であり、ランプ・シェードは取り外されている。
【図５Ａ】図５Ａは、本発明の前記好ましい実施の形態による感応式照明設備の台座の側面断面図であり、ランプ・シェードが取り付けられて閉じられた状態にある。
【図５Ｂ】図５Ｂは、本発明の前記好ましい実施の形態による感応式照明設備の台座の側面断面図であり、ランプ・シェードが取り付けられて開かれた状態にある。
【図６】図６は、本発明の好ましい実施の形態による感応式照明設備の回路図である。
【図７】図７は、本発明の前記好ましい実施の形態による建築用配線接続箱用感応式照明設備の代案となる第１、第２および第３の態様を示した斜視図である。
【図８】図８は、本発明の前記好ましい実施の形態による建築用配線接続箱用感応式照明設備の代案となる第２の態様の分解斜視図である。
【図９】図９は、前記好ましい実施の形態による建築用配線接続箱用感応式照明設備の代案となる第４の態様を示した斜視図である。
【図１０】図１０は、前記好ましい実施の形態による建築用配線接続箱用感応式照明設備の代案となる第４の態様の分解斜視図である。
【図１１】図１１は、前記好ましい実施の形態による建築用配線接続箱用感応式照明設備の代案となる第５の態様を示した斜視図である。
【図１２】図１２は、前記好ましい実施の形態による建築用配線接続箱用感応式照明設備の代案となる第５の態様の分解斜視図である。
【図１】
2005538507.tif 000003
【図２】
2005538507.tif 000004
2005538507.tif 000005
2005538507.tif 000006
【図４】
2005538507.tif 000007
2005538507.tif 000008
2005538507.tif 000009
【図６】
2005538507.tif 000010
【図７】
2005538507.tif 000011
【図８】
2005538507.tif 000012
【図９】
2005538507.tif 000013
【図１０】
2005538507.tif 000014
【図１１】
2005538507.tif 000015
【図１２】
2005538507.tif 000016
【手続補正書】
【提出日】平成17年5月23日(2005.5.23)
【手続補正１】
【補正対象書類名】特許請求の範囲
【補正対象項目名】全文
【補正方法】変更
【補正の内容】
【特許請求の範囲】
【請求項１】
金属製の壁で囲まれた凹んだ空洞をもたらすべく或る表面に据え付けされ、該凹んだ空洞内まで電源からの電気配線が引き込まれている建築用配線接続箱のための感応式照明設備であって、
・前面プレートおよび該前面プレートから後方に向かって延びた凹状のケースからなり、該凹状のケースが、該凹状のケースに凹み付けられた光源ソケットおよび前記前面プレートに開けられた光源開口を有しており、該凹状のケースが、前記建築用配線接続箱の凹んだ空洞内へと配置されるような寸法とされる一方で、前記前面プレートが、前記建築用配線接続箱の凹んだ空洞を覆うような寸法とされている台座
・前記光源ソケット内に配置された光源、
・前記台座の前面プレートに着脱可能に取り付けられ、前記光源開口を覆うような寸法とされているランプ・シェード、
・前記台座の前面プレートに設けられ、外部へと露出している制御センサ、および
・前記光源を前記建築用配線接続箱へと引き込まれた前記電気配線へと電気的に接続し、さらに前記制御センサを前記光源へと、該制御センサがオフ条件を検出したときに該制御センサが前記光源をオフにし、該制御センサがオン条件を検出したときに該制御センサが前記光源をオンにするように電気的に接続するための制御手段
からなる感応式照明設備。
【請求項２】
前記光源が、差し込み式の蛍光ランプである請求項１に記載の感応式照明設備。
【請求項３】
前記差し込み式の蛍光ランプが、差し込み式の蛍光ランプ台座および該蛍光ランプ台座に取り付けられた蛍光ランプ素子からなり、
該蛍光ランプ台座が、前面に開口を有する台座ハウジング、該台座ハウジングの両端から後方に向かって延びる２つの端子アーム、および該台座ハウジングの両端にヒンジ接続された２つの端部ホルダからなり、
前記蛍光ランプ素子が、筒状の蛍光ランプ電球および該蛍光ランプ電球の両端から前記２つの端子アームへと延びて２組の電気端子コンタクトを形成する２組の端子ワイヤからなる
請求項２に記載の感応式照明設備。
【請求項４】
前記２つの端子アームのそれぞれが、１対の貫通孔を有しており、
前記蛍光ランプ素子が、前記蛍光ランプ素子に着座して該蛍光ランプ素子に沿って延びるよう構成され、
前記２組の端子ワイヤが、前記２対の貫通孔を通って後方へと、該端子ワイヤの４つの終端部がそれぞれ前記端子アームから後方に突き出して、それぞれ該２つの端子アームの２つの内側コンタクト面に向かって内側に曲げられ、前記２組の電気端子コンタクトを構成するまで延びている
請求項３に記載の感応式照明設備。
【請求項５】
前記光源ソケットが、前記光源を該光源ソケット内に取り付けて前記反射面の前方に位置させるため、前記２つの端子アームがそれぞれ挿入されるように構成された２つの端子溝を互いに離間させて提供している
請求項３に記載の感応式照明設備。
【請求項６】
前記光源ソケットが、前記光源を該光源ソケット内に取り付けて前記反射面の前方に位置させるため、前記２つの端子アームがそれぞれ挿入されるように構成された２つの端子溝を互いに離間させて提供している
請求項４に記載の感応式照明設備。
【請求項７】
前記制御手段が、前記凹状のケースを通って延びる２組のソケット端子と、回路ユニットとを含んでおり、
該ソケット端子のそれぞれが、ソケット端子を構成すべく対応する前記端子溝内へと延びる前部弾性部分、および前記凹状のケースの前記回路ユニットが収容される後方室へと延びる後端を有しており、
該２組のソケット端子が、前記光源の前記２つの端子アームが前記２つの端子溝へとそれぞれ差し込まれたとき、前記回路ユニットと前記光源の前記蛍光ランプ素子との間に電気を導くべく、該２組のソケット端子が前記２組の端子コンタクトへと押し付けられるように構成されている。
請求項５に記載の感応式照明設備。
【請求項８】
前記制御手段が、前記凹状のケースを通って延びる２組のソケット端子と、回路ユニットとを含んでおり、
該ソケット端子のそれぞれが、ソケット端子を構成すべく対応する前記端子溝内へと延びる前部弾性部分、および前記凹状のケースの前記回路ユニットが収容される後方室へと延びる後端を有しており、
該２組のソケット端子が、前記光源の前記２つの端子アームが前記２つの端子溝へとそれぞれ差し込まれたとき、前記回路ユニットと前記光源の前記蛍光ランプ素子との間に電気を導くべく、該２組のソケット端子が前記２組の端子コンタクトへと押し付けられるように構成されている。
請求項６に記載の感応式照明設備。
【請求項９】
前記凹んだ空洞が、弧状の光反射面を有している請求項１に記載の感応式照明設備。
【請求項１０】
前記回路ユニットが、主として、前記制御センサがオフ条件を検出したときに前記制御センサが前記光源をオフにし、前記制御センサがオン条件を検出したときに前記制御センサが前記光源をオンにするよう、前記制御センサを前記光源と相互作用させる請求項１に記載の感応式照明設備。
【請求項１１】
前記回路ユニットが、主として、前記制御センサがオフ条件を検出したときに前記制御センサが前記光源の前記蛍光ランプ素子をオフにし、前記制御センサがオン条件を検出したときに前記制御センサが前記光源の前記蛍光ランプ素子をオンにするよう、前記制御センサを前記光源と相互作用させる請求項７に記載の感応式照明設備。
【請求項１２】
前記回路ユニットが、主として、前記制御センサがオフ条件を検出したときに前記制御センサが前記光源の前記蛍光ランプ素子をオフにし、前記制御センサがオン条件を検出したときに前記制御センサが前記光源の前記蛍光ランプ素子をオンにするよう、前記制御センサを前記光源と相互作用させる請求項８に記載の感応式照明設備。
【請求項１３】
前記制御センサが、前記回路ユニットに電気的に接続された可視光検出器であって、該可視光検出器が環境光を検出したとき、すなわち前記オフ条件のとき前記光源をオフにし、該可視光検出器が環境光を検出しないとき、すなわち前記オン条件のとき前記光源をオンにするよう構成されている
請求項１０に記載の感応式照明設備。
【請求項１４】
前記制御センサが、前記回路ユニットに電気的に接続された可視光検出器であって、該可視光検出器が環境光を検出したとき、すなわち前記オフ条件のとき前記光源をオフにし、該可視光検出器が環境光を検出しないとき、すなわち前記オン条件のとき前記光源をオンにするよう構成されている
請求項１１に記載の感応式照明設備。
【請求項１５】
前記制御センサが、前記回路ユニットに電気的に接続された可視光検出器であって、該可視光検出器が環境光を検出したとき、すなわち前記オフ条件のとき前記光源をオフにし、該可視光検出器が環境光を検出しないとき、すなわち前記オン条件のとき前記光源をオンにするよう構成されている
請求項１２に記載の感応式照明設備。
【請求項１６】
前記可視光検出器が、可視光検出用光電セルである請求項１５に記載の感応式照明設備。
【請求項１７】
前記制御センサが、生の運動が検出されないとき、すなわち前記オフ条件のとき前記光源をオフにし、生の運動が検出されたとき、すなわち前記オン条件のとき前記光源をオンにするよう構成されている運動センサである請求項１０に記載の感応式照明設備。
【請求項１８】
前記制御センサが、生の運動が検出されないとき、すなわち前記オフ条件のとき前記光源をオフにし、生の運動が検出されたとき、すなわち前記オン条件のとき前記光源をオンにするよう構成されている運動センサである請求項１１に記載の感応式照明設備。
【請求項１９】
前記制御センサが、生の運動が検出されないとき、すなわち前記オフ条件のとき前記光源をオフにし、生の運動が検出されたとき、すなわち前記オン条件のとき前記光源をオンにするよう構成されている運動センサである請求項１２に記載の感応式照明設備。
【請求項２０】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１０に記載の感応式照明設備。
【請求項２１】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１１に記載の感応式照明設備。
【請求項２２】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１２に記載の感応式照明設備。
【請求項２３】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１３に記載の感応式照明設備。
【請求項２４】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１４に記載の感応式照明設備。
【請求項２５】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１５に記載の感応式照明設備。
【請求項２６】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１７に記載の感応式照明設備。
【請求項２７】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１８に記載の感応式照明設備。
【請求項２８】
前記制御手段が、前記凹状のケースを前記凹んだ空洞内に配置しつつ、電力源への接続のための前記凹んだ空洞内の前記電気配線と電気的に接続すべく、前記回路ユニットから延びた細長い入力配線をさらに有している請求項１９に記載の感応式照明設備。
【請求項２９】
前記前面プレートが、前記凹んだ空洞を完全に覆うとともに、両側部に設けられ前記建築用配線接続箱の前記４つの角のねじ座と整列する複数の取り付け穴を有しており、該取り付け穴および前記ねじ座によって該前面プレートを前記建築用配線接続箱に締め付けることによって、前記台座が所定の位置に固定される請求項２５に記載の感応式照明設備。
【請求項３０】
前記前面プレートが、前記凹んだ空洞を完全に覆うとともに、両側部に設けられ前記建築用配線接続箱の前記４つの角のねじ座と整列する複数の取り付け穴を有しており、該取り付け穴および前記ねじ座によって該前面プレートを前記建築用配線接続箱に締め付けることによって、前記台座が所定の位置に固定される請求項２８に記載の感応式照明設備。
【請求項３１】
保護カバーをさらに有しており、
該保護カバーが、一体かつ背面から後方に向かって突き出した複数の係合ラッチを備え、対応して前記前面プレートが複数の係合溝を有し、
該保護カバーが、前記係合ラッチを前記係合溝に差し込むことによって前記前面プレートに取り付けられ、さらに
該保護カバーが、前記制御センサを外部へと露出させることができるようにするため前記制御センサと整列したセンサ・レンズ、および前記光源を外部と連通できるようにするための窓を有している
請求項２９に記載の感応式照明設備。
【請求項３２】
保護カバーをさらに有しており、
該保護カバーが、一体かつ背面から後方に向かって突き出した複数の係合ラッチを備え、対応して前記前面プレートが複数の係合溝を有し、
該保護カバーが、前記係合ラッチを前記係合溝に差し込むことによって前記前面プレートに取り付けられ、さらに
該保護カバーが、前記制御センサを外部へと露出させることができるようにするため前記制御センサと整列したセンサ・レンズ、および前記光源を外部と連通できるようにするための窓を有している
請求項３０に記載の感応式照明設備。
【請求項３３】
少なくとも１つのヒンジ溝が、前記光源開口の上縁に間隔をあけて形成され、
前記ランプ・シェードが、光線を通過させるためのカバー・レンズ、および該ランプ・シェードの上側から後方に向かって延びた少なくとも１つのヒンジ・アームを備えており、
該ヒンジ・アームが弧状の形状を有し、
前記ランプ・シェードが、該ヒンジ・アームを前記ヒンジ溝に通して、該ヒンジ・アームが前記前面プレートの後方に位置して通常時前記ランプ・シェードを重力によってぶら下げるまで挿入することによって、前記台座の前記前面プレートへと着脱可能に取り付けられる
請求項１に記載の感応式照明設備。
【請求項３４】
前記ヒンジ・アームが前記ヒンジ溝からそのまま振り抜けてしまうことがないよう、前記ランプ・シェードが、前記ヒンジ・アームの自由端部から後方および上方に突き出した抜け止めリブを備えている請求項３３に記載の感応式照明設備。
【請求項３５】
係止溝が、前記光源開口の下縁に形成されるとともに、係止ラッチが、前記ランプ・シェードの下側から後方に向かって突き出しており、
該係止ラッチを前記係止溝内に係合させることによって、前記ランプ・シェードを所定の位置に係止することができ、
前記凹んだ空洞を開放するため、前記係止ラッチを前記係止溝との係合から外した後に、前記ランプ・シェードを前記ヒンジ・アームを中心として、前記抜け止めリブが前記凹状のケースの上部壁に当接して妨げとなるまで跳ね上げることができ、ゆえに前記ヒンジ・アームが前記ヒンジ溝によって前記ランプ・シェードを振り上げおよび振り下ろしできるようにしている
請求項３４に記載の感応式照明設備。
【請求項３６】
少なくとも１つのヒンジ溝が、前記光源開口の上縁に間隔をあけて形成され、
前記ランプ・シェードが、光線を通過させるためのカバー・レンズ、および該ランプ・シェードの上側から後方に向かって延びた少なくとも１つのヒンジ・アームを備えており、
該ヒンジ・アームが、弧状の形状を有するとともに、該ヒンジ・アームの自由端部から後方および上方に突き出した抜け止めリブを備えており、
前記ランプ・シェードが、該ヒンジ・アームを前記ヒンジ溝に通して、該ヒンジ・アームが前記前面プレートの後方に位置して通常時前記ランプ・シェードを重力によってぶら下げるまで挿入することによって、前記台座の前記前面プレートへと着脱可能に取り付けられる
請求項８に記載の感応式照明設備。
【請求項３７】
係止溝が、前記光源開口の下縁に形成されるとともに、係止ラッチが、前記ランプ・シェードの下側から後方に向かって突き出しており、
該係止ラッチを前記係止溝内に係合させることによって、前記ランプ・シェードを所定の位置に係止することができ、
前記凹んだ空洞を開放するため、前記係止ラッチを前記係止溝との係合から外した後に、前記ランプ・シェードを前記ヒンジ・アームを中心として、前記抜け止めリブが前記凹状のケースの上部壁に当接して妨げとなるまで跳ね上げることができ、ゆえに前記ヒンジ・アームが前記ヒンジ溝によって前記ランプ・シェードを振り上げおよび振り下ろしできるようにしており、前記抜け止めリブが前記ヒンジ・アームが前記ヒンジ溝からそのまま振り抜けてしまうことがないようにしている
請求項３６に記載の感応式照明設備。
【請求項３８】
少なくとも１つのヒンジ溝が、前記光源開口の上縁に間隔をあけて形成され、
前記ランプ・シェードが、光線を通過させるためのカバー・レンズ、および該ランプ・シェードの上側から後方に向かって延びた少なくとも１つのヒンジ・アームを備えており、
該ヒンジ・アームが弧状の形状を有し、
前記ランプ・シェードが、該ヒンジ・アームを前記ヒンジ溝に通して、該ヒンジ・アームが前記前面プレートの後方に位置して通常時前記ランプ・シェードを重力によってぶら下げるまで挿入することによって、前記台座の前記前面プレートへと着脱可能に取り付けられる
請求項１０に記載の感応式照明設備。
【請求項３９】
前記ヒンジ・アームが前記ヒンジ溝からそのまま振り抜けてしまうことがないよう、前記ランプ・シェードが、前記ヒンジ・アームの自由端部から後方および上方に突き出した抜け止めリブを備えている請求項３８に記載の感応式照明設備。
【請求項４０】
係止溝が、前記光源開口の下縁に形成されるとともに、係止ラッチが、前記ランプ・シェードの下側から後方に向かって突き出しており、
該係止ラッチを前記係止溝内に係合させることによって、前記ランプ・シェードを所定の位置に係止することができ、
前記凹んだ空洞を開放するため、前記係止ラッチを前記係止溝との係合から外した後に、前記ランプ・シェードを前記ヒンジ・アームを中心として、前記抜け止めリブが前記凹状のケースの上部壁に当接して妨げとなるまで跳ね上げることができ、ゆえに前記ヒンジ・アームが前記ヒンジ溝によって前記ランプ・シェードを振り上げおよび振り下ろしできるようにしている
請求項３９に記載の感応式照明設備。
【請求項４１】
少なくとも１つのヒンジ溝が、前記光源開口の上縁に間隔をあけて形成され、
前記ランプ・シェードが、光線を通過させるためのカバー・レンズ、および該ランプ・シェードの上側から後方に向かって延びた少なくとも１つのヒンジ・アームを備えており、
該ヒンジ・アームが、弧状の形状を有するとともに、該ヒンジ・アームの自由端部から後方および上方に突き出した抜け止めリブを備えており、
前記ランプ・シェードが、該ヒンジ・アームを前記ヒンジ溝に通して、該ヒンジ・アームが前記前面プレートの後方に位置して通常時前記ランプ・シェードを重力によってぶら下げるまで挿入することによって、前記台座の前記前面プレートへと着脱可能に取り付けられる
請求項１５に記載の感応式照明設備。
【請求項４２】
係止溝が、前記光源開口の下縁に形成されるとともに、係止ラッチが、前記ランプ・シェードの下側から後方に向かって突き出しており、
該係止ラッチを前記係止溝内に係合させることによって、前記ランプ・シェードを所定の位置に係止することができ、
前記凹んだ空洞を開放するため、前記係止ラッチを前記係止溝との係合から外した後に、前記ランプ・シェードを前記ヒンジ・アームを中心として、前記抜け止めリブが前記凹状のケースの上部壁に当接して妨げとなるまで跳ね上げることができ、ゆえに前記ヒンジ・アームが前記ヒンジ溝によって前記ランプ・シェードを振り上げおよび振り下ろしできるようにしており、前記抜け止めリブが前記ヒンジ・アームが前記ヒンジ溝からそのまま振り抜けてしまうことがないようにしている
請求項４１に記載の感応式照明設備。
【請求項４３】
少なくとも１つのヒンジ溝が、前記光源開口の上縁に間隔をあけて形成され、
前記ランプ・シェードが、光線を通過させるためのカバー・レンズ、および該ランプ・シェードの上側から後方に向かって延びた少なくとも１つのヒンジ・アームを備えており、
該ヒンジ・アームが、弧状の形状を有するとともに、該ヒンジ・アームの自由端部から後方および上方に突き出した抜け止めリブを備えており、
前記ランプ・シェードが、該ヒンジ・アームを前記ヒンジ溝に通して、該ヒンジ・アームが前記前面プレートの後方に位置して通常時前記ランプ・シェードを重力によってぶら下げるまで挿入することによって、前記台座の前記前面プレートへと着脱可能に取り付けられる
請求項２５に記載の感応式照明設備。
【請求項４４】
係止溝が、前記光源開口の下縁に形成されるとともに、係止ラッチが、前記ランプ・シェードの下側から後方に向かって突き出しており、
該係止ラッチを前記係止溝内に係合させることによって、前記ランプ・シェードを所定の位置に係止することができ、
前記凹んだ空洞を開放するため、前記係止ラッチを前記係止溝との係合から外した後に、前記ランプ・シェードを前記ヒンジ・アームを中心として、前記抜け止めリブが前記凹状のケースの上部壁に当接して妨げとなるまで跳ね上げることができ、ゆえに前記ヒンジ・アームが前記ヒンジ溝によって前記ランプ・シェードを振り上げおよび振り下ろしできるようにしており、前記抜け止めリブが前記ヒンジ・アームが前記ヒンジ溝からそのまま振り抜けてしまうことがないようにしている
請求項４３に記載の感応式照明設備。
【請求項４５】
少なくとも１つのヒンジ溝が、前記光源開口の上縁に間隔をあけて形成され、
前記ランプ・シェードが、光線を通過させるためのカバー・レンズ、および該ランプ・シェードの上側から後方に向かって延びた少なくとも１つのヒンジ・アームを備えており、
該ヒンジ・アームが、弧状の形状を有するとともに、該ヒンジ・アームの自由端部から後方および上方に突き出した抜け止めリブを備えており、
前記ランプ・シェードが、該ヒンジ・アームを前記ヒンジ溝に通して、該ヒンジ・アームが前記前面プレートの後方に位置して通常時前記ランプ・シェードを重力によってぶら下げるまで挿入することによって、前記台座の前記前面プレートへと着脱可能に取り付けられる
請求項３１に記載の感応式照明設備。
【請求項４６】
係止溝が、前記光源開口の下縁に形成されるとともに、係止ラッチが、前記ランプ・シェードの下側から後方に向かって突き出しており、
該係止ラッチを前記係止溝内に係合させることによって、前記ランプ・シェードを所定の位置に係止することができ、
前記凹んだ空洞を開放するため、前記係止ラッチを前記係止溝との係合から外した後に、前記ランプ・シェードを前記ヒンジ・アームを中心として、前記抜け止めリブが前記凹状のケースの上部壁に当接して妨げとなるまで跳ね上げることができ、ゆえに前記ヒンジ・アームが前記ヒンジ溝によって前記ランプ・シェードを振り上げおよび振り下ろしできるようにしており、前記抜け止めリブが前記ヒンジ・アームが前記ヒンジ溝からそのまま振り抜けてしまうことがないようにしている
請求項４５に記載の感応式照明設備。
【請求項４７】
前記ランプ・シェードが、弧状のシェルターを前方に向かって突き出して備えるとともに、該シェルターの下端に開口を形成しており、
該ランプ・シェードが、前記凹んだ空洞および前記光源開口を覆うため前記前面プレートに着脱可能に取り付けられる
請求項１に記載の感応式照明設備。
【請求項４８】
前記ランプ・シェードが、さらに透明フィルタ・レンズを前記下端の開口に取り付けて備える請求項４７に記載の感応式照明設備。
【請求項４９】
前記ランプ・シェードが、弧状のシェルターを前方に向かって突き出して備えるとともに、該シェルターの下端に開口を形成しており、
該ランプ・シェードが、前記凹んだ空洞および前記光源開口を覆うため前記前面プレートに着脱可能に取り付けられる
請求項８に記載の感応式照明設備。
【請求項５０】
前記ランプ・シェードが、さらに透明フィルタ・レンズを前記下端の開口に取り付けて備える請求項４９に記載の感応式照明設備。
【請求項５１】
前記ランプ・シェードが、弧状のシェルターを前方に向かって突き出して備えるとともに、該シェルターの下端に開口を形成しており、
該ランプ・シェードが、前記凹んだ空洞および前記光源開口を覆うため前記前面プレートに着脱可能に取り付けられる
請求項１０に記載の感応式照明設備。
【請求項５２】
前記ランプ・シェードが、さらに透明フィルタ・レンズを前記下端の開口に取り付けて備える請求項５１に記載の感応式照明設備。
【請求項５３】
前記ランプ・シェードが、弧状のシェルターを前方に向かって突き出して備えるとともに、該シェルターの下端に開口を形成しており、
該ランプ・シェードが、前記凹んだ空洞および前記光源開口を覆うため前記前面プレートに着脱可能に取り付けられる
請求項１５に記載の感応式照明設備。
【請求項５４】
前記ランプ・シェードが、さらに透明フィルタ・レンズを前記下端の開口に取り付けて備える請求項５３に記載の感応式照明設備。
【請求項５５】
前記ランプ・シェードが、弧状のシェルターを前方に向かって突き出して備えるとともに、該シェルターの下端に開口を形成しており、
該ランプ・シェードが、前記凹んだ空洞および前記光源開口を覆うため前記前面プレートに着脱可能に取り付けられる
請求項２５に記載の感応式照明設備。
【請求項５６】
前記ランプ・シェードが、さらに透明フィルタ・レンズを前記下端の開口に取り付けて備える請求項５５に記載の感応式照明設備。
【請求項５７】
前記ランプ・シェードが、弧状のシェルターを前方に向かって突き出して備えるとともに、該シェルターの下端に開口を形成しており、
該ランプ・シェードが、前記凹んだ空洞および前記光源開口を覆うため前記前面プレートに着脱可能に取り付けられる
請求項３１に記載の感応式照明設備。
【請求項５８】
前記ランプ・シェードが、さらに透明フィルタ・レンズを前記下端の開口に取り付けて備える請求項５７に記載の感応式照明設備。
【請求項５９】
スイッチ手段を、前記制御手段へと電気的に接続してさらに備えており、
該スイッチ手段が、該スイッチ手段がオフであるとき前記制御センサが機能せず環境の変化に反応せず、該スイッチ手段がオンであるとき前記制御センサが機能して前記環境の前記変化を検知するよう前記制御センサを制御するため、前記制御手段に組み込まれている
請求項１に記載の感応式照明設備。
【請求項６０】
スイッチ手段を、前記回路ユニットへと電気的に接続してさらに備えており、
該スイッチ手段が、該スイッチ手段がオフであるとき前記制御センサが機能せず環境の変化に反応せず、該スイッチ手段がオンであるとき前記制御センサが機能して前記環境の前記変化を検知するよう前記制御センサを制御するため、前記回路ユニットに組み込まれている
請求項１２に記載の感応式照明設備。
【請求項６１】
スイッチ手段を、前記回路ユニットへと電気的に接続してさらに備えており、
該スイッチ手段が、該スイッチ手段がオフであるとき前記制御センサが環境光を検出するための動作状態にはならず、該スイッチ手段がオンであるとき前記制御センサが環境光を検出すべく機能するように前記制御センサを制御するため、前記回路ユニットの前記回路に組み込まれている
請求項１５に記載の感応式照明設備。
【請求項６２】
スイッチ手段を、前記回路ユニットへと電気的に接続してさらに備えており、
該スイッチ手段が、該スイッチ手段がオフであるとき前記制御センサが環境光を検出するための動作状態にはならず、該スイッチ手段がオンであるとき前記制御センサが環境光を検出すべく機能するように前記制御センサを制御するため、前記回路ユニットの前記回路に組み込まれている
請求項３５に記載の感応式照明設備。
【請求項６３】
スイッチ手段を、前記回路ユニットへと電気的に接続してさらに備えており、
該スイッチ手段が、該スイッチ手段がオフであるとき前記制御センサが環境光を検出するための動作状態にはならず、該スイッチ手段がオンであるとき前記制御センサが環境光を検出すべく機能するように前記制御センサを制御するため、前記回路ユニットの前記回路に組み込まれている
請求項４６に記載の感応式照明設備。
【請求項６４】
スイッチ手段を、前記回路ユニットへと電気的に接続してさらに備えており、
該スイッチ手段が、該スイッチ手段がオフであるとき前記制御センサが環境光を検出するための動作状態にはならず、該スイッチ手段がオンであるとき前記制御センサが環境光を検出すべく機能するように前記制御センサを制御するため、前記回路ユニットの前記回路に組み込まれている
請求項４７に記載の感応式照明設備。
【請求項６５】
スイッチ手段を、前記回路ユニットへと電気的に接続してさらに備えており、
該スイッチ手段が、該スイッチ手段がオフであるとき前記制御センサが環境光を検出するための動作状態にはならず、該スイッチ手段がオンであるとき前記制御センサが環境光を検出すべく機能するように前記制御センサを制御するため、前記回路ユニットの前記回路に組み込まれている
請求項４９に記載の感応式照明設備。
【請求項６６】
スイッチ手段を、前記回路ユニットへと電気的に接続してさらに備えており、
該スイッチ手段が、該スイッチ手段がオフであるとき前記制御センサが環境光を検出するための動作状態にはならず、該スイッチ手段がオンであるとき前記制御センサが環境光を検出すべく機能するように前記制御センサを制御するため、前記回路ユニットの前記回路に組み込まれている
請求項５３に記載の感応式照明設備。
【請求項６７】
スイッチ手段を、前記回路ユニットへと電気的に接続してさらに備えており、
該スイッチ手段が、該スイッチ手段がオフであるとき前記制御センサが環境光を検出するための動作状態にはならず、該スイッチ手段がオンであるとき前記制御センサが環境光を検出すべく機能するように前記制御センサを制御するため、前記回路ユニットの前記回路に組み込まれている
請求項５５に記載の感応式照明設備。
【請求項６８】
スイッチ手段を、前記回路ユニットへと電気的に接続してさらに備えており、
該スイッチ手段が、該スイッチ手段がオフであるとき前記制御センサが環境光を検出するための動作状態にはならず、該スイッチ手段がオンであるとき前記制御センサが環境光を検出すべく機能するように前記制御センサを制御するため、前記回路ユニットの前記回路に組み込まれている
請求項５７に記載の感応式照明設備。
【請求項６９】
スイッチ手段を、周りのものの電源スイッチとして機能するよう、前記制御手段に電気的に接続してさらに備えている請求項１に記載の感応式照明設備。
【請求項７０】
スイッチ手段を、周りのものの電源スイッチとして機能するよう、前記制御手段に電気的に接続してさらに備えている請求項１２に記載の感応式照明設備。
【請求項７１】
スイッチ手段を、周りのものの電源スイッチとして機能するよう、前記制御手段に電気的に接続してさらに備えている請求項１５に記載の感応式照明設備。
【請求項７２】
スイッチ手段を、周りのものの電源スイッチとして機能するよう、前記制御手段に電気的に接続してさらに備えている請求項３５に記載の感応式照明設備。
【請求項７３】
スイッチ手段を、周りのものの電源スイッチとして機能するよう、前記制御手段に電気的に接続してさらに備えている請求項４６に記載の感応式照明設備。
【請求項７４】
スイッチ手段を、周りのものの電源スイッチとして機能するよう、前記制御手段に電気的に接続してさらに備えている請求項４７に記載の感応式照明設備。
【請求項７５】
スイッチ手段を、周りのものの電源スイッチとして機能するよう、前記制御手段に電気的に接続してさらに備えている請求項４９に記載の感応式照明設備。
【請求項７６】
スイッチ手段を、周りのものの電源スイッチとして機能するよう、前記制御手段に電気的に接続してさらに備えている請求項５３に記載の感応式照明設備。
【請求項７７】
スイッチ手段を、周りのものの電源スイッチとして機能するよう、前記制御手段に電気的に接続してさらに備えている請求項５５に記載の感応式照明設備。
【請求項７８】
スイッチ手段を、周りのものの電源スイッチとして機能するよう、前記制御手段に電気的に接続してさらに備えている請求項５７に記載の感応式照明設備。
【請求項７９】
電源コンセントを前記前面プレートに設けてさらに備え、該電源コンセントが、電源供給をもたらすため前記制御手段に電気的に接続されている請求項１に記載の感応式照明設備。
【請求項８０】
前記電源コンセントが使用されていないときに該電源コンセントを外側から覆うため、ヒンジ付けされた安全カバーをさらに備えている請求項７９に記載の感応式照明設備。
【請求項８１】
電源コンセントを前記前面プレートに設けてさらに備え、該電源コンセントが、電源供給をもたらすため前記制御手段に電気的に接続されている請求項１２に記載の感応式照明設備。
【請求項８２】
前記電源コンセントが使用されていないときに該電源コンセントを外側から覆うため、ヒンジ付けされた安全カバーをさらに備えている請求項８１に記載の感応式照明設備。
【請求項８３】
前記前面プレートに設けられ、電源供給をもたらすため前記制御手段に電気的に接続されている電源コンセント、および
該電源コンセントが使用されていないときに該電源コンセントを外側から覆うためのヒンジ付けによる安全カバー
をさらに備えている請求項１５に記載の感応式照明設備。
【請求項８４】
前記前面プレートに設けられ、電源供給をもたらすため前記制御手段に電気的に接続されている電源コンセント、および
該電源コンセントが使用されていないときに該電源コンセントを外側から覆うためのヒンジ付けによる安全カバー
をさらに備えている請求項３５に記載の感応式照明設備。
【請求項８５】
前記前面プレートに設けられ、電源供給をもたらすため前記制御手段に電気的に接続されている電源コンセント、および
該電源コンセントが使用されていないときに該電源コンセントを外側から覆うためのヒンジ付けによる安全カバー
をさらに備えている請求項４６に記載の感応式照明設備。
【請求項８６】
前記前面プレートに設けられ、電源供給をもたらすため前記制御手段に電気的に接続されている電源コンセント、および
該電源コンセントが使用されていないときに該電源コンセントを外側から覆うためのヒンジ付けによる安全カバー
をさらに備えている請求項４７に記載の感応式照明設備。
【請求項８７】
前記前面プレートに設けられ、電源供給をもたらすため前記制御手段に電気的に接続されている電源コンセント、および
該電源コンセントが使用されていないときに該電源コンセントを外側から覆うためのヒンジ付けによる安全カバー
をさらに備えている請求項５７に記載の感応式照明設備。
【国際調査報告】
2005538507.tif 000017